(57)【要約】  ２つ以上の低密度パリティ検査（ＬＤＰＣ）ベースグラフがＬＰＤＣ符号化のために使用され得るときにトランスポートブロックサイズ（ＴＢＳ）を判定および使用するためのシステムおよび方法が、開示される。いくつかの実施形態では、方法は、２つの異なるＬＤＰＣベースグラフのうちのどちらがコードブロックセグメント化のために使用されるかにかかわらずトランスポートブロックのコードブロックセグメント化が同サイズのコードブロックをもたらすように、公式を使用して物理チャネル送信を介してネットワークノードと無線デバイスとの間で通信されるトランスポートブロックのトランスポートブロックサイズ（ＴＢＳ）を判定することを含む。本方法はさらに、判定されたＴＢＳに従ってトランスポートブロックを送信または受信することを含む。【選択図】図４
2020537384.tif 000002
【特許請求の範囲】
【請求項１】
２つの異なる低密度パリティコード（ＬＤＰＣ）ベースグラフのうちのいずれがコードブロックセグメント化のために使用されるかにかかわらずトランスポートブロックの前記コードブロックセグメント化が同サイズのコードブロックをもたらすように公式を使用して物理チャネル送信を介してネットワークノードと無線デバイスとの間で通信される前記トランスポートブロックのトランスポートブロックサイズ（ＴＢＳ）を判定することと、
前記判定されたＴＢＳに従って前記トランスポートブロックを送信または受信することと
を含む、方法。
【請求項２】
前記ＴＢＳを判定することが、
前記物理チャネル送信のための目標コードレートＲは１／４以下であると判定することと、
Ｒは１／４以下であると判定したときに、
前記ＴＢＳの近似値、前記物理チャネル送信の各トランスポートブロックに添付された巡回冗長検査（ＣＲＣ）ビットの数、および前記コードブロックセグメント化のための第１のベースグラフを使用するときに前記物理チャネル送信の各コードブロックに添付された、もしあれば、ＣＲＣビットの数に基づいて前記物理チャネル送信のためのコードブロックの数Ｃを判定すること、および、
前記コードブロックの数Ｃ、前記ＴＢＳの前記近似値、および前記物理チャネル送信の各トランスポートブロックに添付された前記ＣＲＣビットの数に基づいて前記物理チャネル送信のための前記ＴＢＳを判定すること
を含む、請求項１に記載の方法。
【請求項３】
前記コードブロックの数Ｃを判定することが、比率Ａ／Ｂを最も近い整数に切り上げることを含み、そこで、Ａは、前記ＴＢＳの近似値と前記物理チャネル送信の各トランスポートブロックに添付された前記ＣＲＣビットの数との合計であり、Ｂは、前記第１のベースグラフのための最大コードブロックサイズと前記物理チャネル送信の各コードブロックに添付された、もしあれば、前記ＣＲＣビットの数との差である、請求項２に記載の方法。
【請求項４】
前記コードブロックの数Ｃ、前記ＴＢＳの近似値、および前記物理チャネル送信の各トランスポートブロックに添付された前記ＣＲＣビットの数に基づいて前記物理チャネル送信のための前記ＴＢＳを判定することが、
Ｘ・Ｙ−ＺとしてＴＢＳを判定すること
を含み、そこで、
Ｘは、Ｃの関数である値であり、
Ｙは、比率Ｙｎｕｍ／Ｙｄｅｎｏｍを最も近い整数に丸めた結果として生じる値であり、そこで、Ｙｎｕｍは、前記ＴＢＳの前記近似値と前記物理チャネル送信の各トランスポートブロックに添付された前記ＣＲＣビットの数との合計であり、Ｙｄｅｎｏｍ＝Ｘであり、そして、
Ｚは、前記物理チャネル送信の各トランスポートブロックに添付された前記ＣＲＣビットの数である、
請求項３に記載の方法。
【請求項５】
Ｘ＝Ｃ・８である、請求項４に記載の方法。
【請求項６】
Ｘが、Ｃと８との最小公倍数に等しい、請求項４に記載の方法。
【請求項７】
前記物理チャネル送信の各トランスポートブロックに添付された前記ＣＲＣビットの数と前記物理チャネル送信の各コードブロックに添付された、もしあれば、前記ＣＲＣビットの数との両方が、２４に等しい、請求項２から６のいずれか一項に記載の方法。
【請求項８】
前記ＴＢＳを判定することが、
前記物理チャネル送信のための目標コードレートＲは１／４より大きいと判定することと、
前記ＴＢＳの近似値は閾値より大きいと判定することと、
Ｒは１／４より大きいと判定し、かつ前記ＴＢＳの前記近似値は前記閾値より大きいと判定したときに、
前記ＴＢＳの近似値、前記物理チャネル送信の各トランスポートブロックに添付された巡回冗長検査（ＣＲＣ）ビットの数、およびコードブロックセグメント化のために第１のベースグラフを使用するときに前記物理チャネル送信の各コードブロックに添付された、もしあれば、ＣＲＣビットの数に基づいて、前記物理チャネル送信のためのコードブロックの数Ｃを判定することと、
前記コードブロックの数Ｃ、前記ＴＢＳの前記近似値、および前記物理チャネル送信の各トランスポートブロックに添付された前記ＣＲＣビットの数に基づいて前記物理チャネル送信のための前記ＴＢＳを判定することと
を含む、請求項１に記載の方法。
【請求項９】
前記コードブロックの数Ｃを判定することが、
比率Ａ／Ｂを最も近い整数に切り上げることによって前記コードブロックの数Ｃを判定すること
を含み、そこで、Ａは、前記ＴＢＳの前記近似値と前記物理チャネル送信の各トランスポートブロックに添付された前記ＣＲＣビットの数との合計であり、Ｂは、前記第１のベースグラフのための最大コードブロックサイズと前記物理チャネル送信の各コードブロックに添付された、もしあれば、前記ＣＲＣビットの数との差である、
請求項８に記載の方法。
【請求項１０】
前記コードブロックの数Ｃ、前記ＴＢＳの前記近似値、および前記物理チャネル送信の各トランスポートブロックに添付された前記ＣＲＣビットの数に基づいて前記物理チャネル送信のためのＴＢＳを判定することが、
Ｘ・Ｙ−ＺとしてＴＢＳを判定すること、を含み、
Ｘは、Ｃの関数である値であり、
Ｙは、比率Ｙｎｕｍ／Ｙｄｅｎｏｍを最も近い整数に丸めた結果として生じる値であり、Ｙｎｕｍは、前記ＴＢＳの前記近似値と前記物理チャネル送信の各トランスポートブロックに添付された前記ＣＲＣビットの数との合計であり、Ｙｄｅｎｏｍ＝Ｘであり、そして、
Ｚは、前記物理チャネル送信の各トランスポートブロックに添付された前記ＣＲＣビットの数である、
請求項９に記載の方法。
【請求項１１】
Ｘ＝Ｃ・８である、請求項１０に記載の方法。
【請求項１２】
Ｘが、Ｃと８の最小公倍数に等しい、請求項１０に記載の方法。
【請求項１３】
前記物理チャネル送信の各トランスポートブロックに添付された前記ＣＲＣビットの数および前記物理チャネル送信の各コードブロックに添付された、もしあれば、前記ＣＲＣビットの数が、２４に等しい、請求項８から１２のいずれか一項に記載の方法。
【請求項１４】
前記ＴＢＳが、前記ＴＢＳの近似値は所定の値より大きいと判定する結果として、前記公式を使用して判定され、そして、別の物理チャンネル送信を介して前記ネットワークノードと前記無線デバイスとの間で通信される別のトランスポートブロックの別のＴＢＳが、前記別のＴＢＳの近似値は前記所定の値以下であると判定する結果として、テーブルを使用して判定される、請求項１から１３のいずれか一項に記載の方法。
【請求項１５】
前記テーブル内のすべての連続的エントリｋｌおよびｋｌ＋１は、
2020537384.tif 000057
が所定の値以下であるような値を有する、請求項１４に記載の方法。
【請求項１６】
前記テーブル内のすべてのエントリ（ｋ）が、
ｋは８の倍数である、
2020537384.tif 000058
および
2020537384.tif 000059
という条件を満たし、そこで、Ｍ０は、前記第１のベースグラフが使用された場合に前記トランスポートブロックに添付された前記ＣＲＣビットの数であり、Ｚ１は、前記２つの異なるベースグラフのうちの第１のベースグラフの所定の最大ＴＢＳであり、Ｍ１は、コードブロックの数が１より大きいおよび前記第１のベースグラフが使用される場合にセグメント化の後の各コードブロックに添付されたＣＲＣビットの数であり、Ｍ２は、前記第２のベースグラフが使用される場合に、前記トランスポートブロックに添付されたＣＲＣビットの数であり、Ｚ２は、前記２つの異なるベースグラフのうちの第２のベースグラフの最大ＴＢＳであり、そして、Ｍ３は、前記コードブロックの数が１より大きいおよび前記第２のベースグラフが使用される場合にセグメント化の後の各コードブロックに添付されたＣＲＣビットの数である、請求項１４に記載の方法。
【請求項１７】
物理チャネル送信を介してネットワークノードと無線デバイスとの間で通信されるトランスポートブロックのトランスポートブロックサイズ（ＴＢＳ）を判定することと、
前記判定されたＴＢＳに従って前記トランスポートブロックでコードブロックセグメント化を実行することであり、そこで、前記コードブロックセグメント化を実行することが、前記コードブロックセグメント化が第１の低密度パリティコード（ＬＤＰＣ）ベースグラフで実行されるかまたは第２のＬＤＰＣベースグラフで実行されるかに基づいて選択的にフィラービットをコードブロックに挿入して同サイズのコードブロックを獲得することを含む、コードブロックセグメント化を実行することと、
前記ＴＢＳに従って前記トランスポートブロックを送信または受信することと
を含む、方法。
【請求項１８】
前記ＴＢＳを判定することが、請求項１から１４のいずれか一項に従って前記ＴＢＳを判定することを含む、請求項１７に記載の方法。
【請求項１９】
選択的に前記フィラービットを挿入することが、前記物理チャネル送信のコードレートが１／４より大きいときにコードブロックセグメント化中に前記フィラービットを挿入することを含む、請求項１７に記載の方法。
【請求項２０】
前記ＴＢＳが、前記ネットワークノードから受信されたダウンリンク制御情報（ＤＣＩ）に基づいて前記無線デバイスによって判定され、前記トランスポートブロックが、前記判定されたＴＢＳに従って、前記ネットワークノードから前記無線デバイスによって受信される、請求項１７に記載の方法。
【請求項２１】
前記ＴＢＳが、前記ネットワークノードから受信されたダウンリンク制御情報（ＤＣＩ）に基づいて前記無線デバイスによって判定され、そして、前記トランスポートブロックが、前記判定されたＴＢＳに従って、前記無線デバイスから前記ネットワークノードに送信される、請求項１７に記載の方法。
【請求項２２】
前記ＴＢＳが、前記ネットワークノードによって判定され、前記トランスポートブロックが、前記ネットワークノードによって前記無線デバイスに送信される、請求項１７に記載の方法。
【請求項２３】
物理チャネル送信を介してネットワークノードと無線デバイスとの間で通信されるトランスポートブロックの近似トランスポートブロックサイズ（ＴＢＳ）を判定することと、
前記近似ＴＢＳ以上のテーブル内の最小エントリを前記トランスポートブロックのＴＢＳとして判定することと、
前記判定されたＴＢＳに従って前記トランスポートブロックを送信または受信することと
を含む、方法。
【請求項２４】
前記テーブル内のすべてのエントリが、８の倍数であり、前記テーブル内のすべてのエントリが、トランスポートブロックレベルおよびコードブロックレベル巡回冗長コード（ＣＲＣ）ビットの添付後に第１の所定の最大コードブロックサイズを有する第１のベースグラフでコードブロックセグメント化が実行されるときに同サイズコードブロックを生じさせ、そして、トランスポートブロックレベルおよびコードブロックレベルＣＲＣビットの添付の後に、コードブロックセグメント化が、第２の所定の最大コードブロックサイズを有する第２のベースグラフで実行されるとき、前記テーブル内のすべてのエントリは同サイズコードブロックを生じさせる、請求項２３に記載の方法。
【請求項２５】
セルラ通信ネットワーク内の無線ノードであって、請求項１から２４のいずれか一項に記載の方法を実行するように適合された無線ノード。
【請求項２６】
前記無線ノードが基地局である、請求項２５に記載の無線ノード。
【請求項２７】
前記無線ノードがユーザ機器（ＵＥ）である、請求項２６に記載の無線ノード。
【請求項２８】
セルラ通信ネットワーク内の無線ノードであって、
前記セルラ通信ネットワーク内の別のノードに無線で信号を送信するおよび／またはそのような別のノードから無線で信号を受信するように動作可能なインターフェースと、
前記インターフェースと関連する処理回路であって、請求項１から２４のいずれか一項に記載の方法を実行するように動作可能な処理回路と
を備えた、無線ノード。
【請求項２９】
前記無線ノードが基地局である、請求項２８に記載の無線ノード。
【請求項３０】
前記無線ノードがユーザ機器（ＵＥ）である、請求項２８に記載の無線ノード。
【発明の詳細な説明】
【技術分野】
【０００１】
関連出願
本願は、２０１７年１０月３日に出願された仮特許出願第６２／５６７，６３８号の利益を主張し、その開示は、参照することにより、その全部が本明細書に組み込まれる。
【０００２】
本開示は、セルラ通信ネットワークにおけるトランスポートブロックサイズ（ＴＢＳ：Ｔｒａｎｓｐｏｒｔ  Ｂｌｏｃｋ  Ｓｉｚｅ）判定に関する。
【背景技術】
【０００３】
第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）には、第５世代（５Ｇ：Ｆｉｆｔｈ  Ｇｅｎｅｒａｔｉｏｎ）ネットワークのための新無線インターフェースを検討する進行中の研究項目が存在する。この新しい次の技術を示す用語は、まだまとめられておらず、したがって、新無線（ＮＲ：Ｎｅｗ  Ｒａｄｉｏ）および５Ｇという用語は、同義で使用される。さらに、基地局は、拡張またはエボルブドノードＢ（ｅＮＢ：ｅｖｏｌｖｅｄ  Ｎｏｄｅ  Ｂ）の代わりにＮＲ基地局（ｇＮＢ：ＮＲ  ｂａｓｅ  ｓｔａｔｉｏｎ）と称され得る。別法として、送信受信ポイント（ＴＲＰ：Ｔｒａｎｓｍｉｓｓｉｏｎ−Ｒｅｃｅｉｖｅ−Ｐｏｉｎｔ）という用語もまた使用され得る。
【０００４】
スロット構造
ＮＲスロットは、いくつかの直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルから成る。現在の合意によれば、ＮＲスロットは、ＯＦＤＭサブキャリア間隔の７もしくは１４シンボル≦６０キロヘルツ（ｋＨｚ）、およびＯＦＤＭサブキャリア間隔の１４シンボル＞６０ｋＨｚから成る。図１は、１４ＯＦＤＭシンボルを有するサブフレームを示す。図１において、ＴｓおよびＴｓｙｍｂは、それぞれ、スロットおよびＯＦＤＭシンボル持続期間を示す。加えて、スロットはまた、ダウンリンク（ＤＬ）／アップリンク（ＵＬ）過渡期あるいはＤＬ送信およびＵＬ送信の両方を収容するように短くされ得る。潜在的な変更形態が、図２に示される。
【０００５】
さらに、ＮＲはまた、ミニスロットを規定する。ミニスロットは、スロットよりも短く、任意のシンボルで開始することが可能である。現在の合意によれば、ミニスロット持続期間は、１または２シンボルからスロット内のシンボルの数から１を引いた数までになり得る。スロットの送信持続期間が長すぎる、または次のスロット開始（スロットアラインメント）発生が遅すぎる場合に、ミニスロットが使用される。ミニスロットの適用分野は、とりわけ、ＬＢＴ（Ｌｉｓｔｅｎ−Ｂｅｆｏｒｅ−Ｔａｌｋ：リッスンビフォアトーク）が成功した後に直ちに送信が開始すべきレイテンシクリティカルな送信および無認可のスペクトルを含む。レイテンシクリティカルな送信のために、ミニスロット長およびミニスロットの頻繁な機会の両方が重要である。無認可のスペクトルについては、ミニスロットの頻繁な機会は、特に重要である。ミニスロットの一例は、図３に示される。
【０００６】
制御情報
物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）が、ダウンリンク制御情報（ＤＣＩ：Ｄｏｗｎｌｉｎｋ  Ｃｏｎｔｒｏｌ  Ｉｎｆｏｒｍａｔｉｏｎ）、たとえば、ダウンリンクスケジューリング割り当ておよびアップリンクスケジューリンググラント、のためにＮＲにおいて使用される。ＰＤＣＣＨは、一般にスロットの最初に送信され、同じまたは後のスロット内のデータに関連する。ミニスロットについて、ＰＤＣＣＨはまた、通常のスロット内で送信され得る。ＰＤＣＣＨの異なるフォーマット（サイズ）が、異なるＤＣＩペイロードサイズおよび異なるアグリゲーションレベル、すなわち、所与のペイロードサイズの異なるコードレート、に対処するために、可能である。ユーザ機器デバイス（ＵＥ）は、黙示的におよび／または明示的に、異なるアグリゲーションレベルおよびＤＣＩペイロードサイズのいくつかのＰＤＣＣＨ候補についてモニタする（すなわち、検索する）ように設定される。ＵＥがモニタするように伝えられたＩＤ（アイデンティティ）をＤＣＩが含む候補の復号成功によって、有効なＤＣＩメッセージを検出したとき、ＵＥはＤＣＩに従う。たとえば、ＵＥは、ＤＣＩに従って、対応するダウンリンクデータを受信するまたはアップリンクで送信する。
【０００７】
ＮＲでは、現在、複数のＵＥによって受信されることになる「ブロードキャストされる制御チャネル」を導入するかどうかについての議論がある。チャネルは、「グループ共通ＰＤＣＣＨ」と呼ばれている。そのようなチャネルの正確な内容は、現在議論されている。そのようなチャネル内に置かれ得る情報の１つの例は、スロットフォーマットに関する情報、すなわち、ある特定のスロットがアップリンクかダウンリンクか、スロットのどの部分がＵＬまたはＤＬか、動的時分割複信（ＴＤＤ：Ｔｉｍｅ  Ｄｉｖｉｓｉｏｎ  Ｄｕｐｌｅｘｉｎｇ）システムにおいて有用になり得る情報、である。
【０００８】
送信パラメータ判定
ＤＣＩは、どのようにしてダウンリンク送信を受信するまたはアップリンクで送信するかをＵＥに指示するために、いくつかのパラメータを運ぶ。たとえば、周波数分割複信（ＦＤＤ：Ｆｒｅｑｕｅｎｃｙ  Ｄｉｖｉｓｉｏｎ  Ｄｕｐｌｅｘｉｎｇ）ロングタームエボリューション（ＬＴＥ：Ｌｏｎｇ  Ｔｅｒｍ  Ｅｖｏｌｕｔｉｏｎ）ＤＣＩフォーマット１Ａは、局在型／分散型仮想リソースブロック（ＶＲＢ：Ｖｉｒｔｕａｌ  Ｒｅｓｏｕｒｃｅ  Ｂｌｏｃｋ）割り当てフラグ、リソースブロック割り当て、変調符号化方式（ＭＣＳ：Ｍｏｄｕｌａｔｉｏｎ  ａｎｄ  Ｃｏｄｉｎｇ  Ｓｃｈｅｍｅ）、ハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）プロセス番号、新データインジケータ、反復バージョンおよび物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）のための送信電力制御（ＴＰＣ：Ｔｒａｎｓｍｉｔ  Ｐｏｗｅｒ  Ｃｏｎｔｒｏｌ）コマンドなど、パラメータを運ぶ。
【０００９】
システムでＵＥが受信または送信するキーパラメータのうちの１つは、チャネル符号化および変調されることになる、トランスポートブロックサイズ（ＴＢＳ）と呼ばれる、データブロックのサイズである。ＬＴＥにおいて、ＴＢＳは、以下のように判定される：
・ＵＥは、ＤＣＩによって与えられたＭＣＳを使用して、ＭＣＳテーブルからＴＢＳインデックスＩＴＢＳを読み取る。ＭＣＳテーブルの一例が、表１に示される。
・ＵＥは、ＤＣＩにおいて与えられたリソースブロック割り当てからＮＰＲＢとして物理リソースブロック（ＰＲＢ：Ｐｈｙｓｉｃａｌ  Ｒｅｓｏｕｒｃｅ  Ｂｌｏｃｋ）の数を判定する。
ＵＥは、ＴＢＳインデックスＩＴＢＳおよびＰＲＢ  ＮＰＲＢの数を使用してＴＢＳテーブルから実際のＴＢＳを読み取る。ＴＢＳテーブルの一部が、一例として表２に示される。
2020537384.tif 000003
2020537384.tif 000004
【００１０】
ＬＴＥ手法は、後述するように、いくつかの問題を有する。
【００１１】
問題１：ＬＴＥ  ＴＢＳテーブルは、もとは、それぞれの割り当てられたＰＲＢで利用可能なリソースエレメント（ＲＥ：Ｒｅｓｏｕｒｃｅ  Ｅｌｅｍｅｎｔ）の数ならびにデータ送信のためのＯＦＤＭシンボルの数について特定の想定を有して設計された。異なる量の参照シンボルオーバーヘッドを有する異なる送信モードが、ＬＴＥにおいて後に導入されたとき、新しい送信モードについて最適化するために別のＴＢＳテーブルを規定することが難しくなった。最後に、３ＧＰＰ内の企業は、ＬＴＥ  ＴＢＳテーブルにおいていくつかの新しい行を導入していくつかの限られた事例について最適化することによって、妥協した。すなわち、明確なＴＢＳテーブル手法は、ＬＴＥシステムの継続的発展および改良を妨げる。
【００１２】
問題２：データブロックサイズを判定する既存の手法では、異なるスロットサイズまたは構造を有した高性能の動作を提供しない。ＬＴＥ内のサブフレームは様々なサイズになり得るので、これは、ＬＴＥシステムにおけるよく知られた問題である。通常のサブフレームは、異なるサイズの制御領域を有し得、それにより、データ領域の異なるサイズを残す。ＴＤＤ  ＬＴＥは、ＴＤＤスペシャルサブフレームのダウンリンク部分（ダウンリンクパイロットタイムスロット（ＤｗＰＴＳ：Ｄｏｗｎｌｉｎｋ  Ｐｉｌｏｔ  Ｔｉｍｅ  Ｓｌｏｔ））において異なるサイズをサポートする。サブフレームの様々な異なるサイズが、表３において要約される。
【００１３】
しかしながら、ＬＴＥ  ＭＣＳおよびＴＢＳテーブルは、１１ＯＦＤＭシンボルがデータ送信のために利用可能であるという想定に基づいて設計される。すなわち、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）のための利用可能なＯＦＤＭシンボルの実際の数が１１とは異なるとき、送信の周波数利用効率は、表４に示されたものを逸脱することになる。第１に、ＰＤＳＣＨのＯＦＤＭシンボルの実際の数が、想定された１１シンボルより実質的に少ないとき、コードレートが過度に高くなることに留意されたい。これらの事例は、表４において濃い網掛けで強調されている。ＬＴＥにおいて、ＵＥは、０．９３０より高い効果的コードレートでＰＤＳＣＨ送信を復号することは予期されない。ＵＥは、そのような高いコードレートで復号することができないので、これらの濃い網掛け付きのＭＣＳに基づく送信は、失敗することになり、再送信が必要とされることになる。第２に、無線リソース想定の不一致を有して、ＭＣＳのうちのいくつかのＭＣＳのコードレートは、広帯域無線システムの最適範囲を逸脱する。一例としてダウンリンク送信のための詳細なリンク性能評価に基づいて、４位相偏移変調（ＱＰＳＫ：Ｑｕａｄｒａｔｕｒｅ  Ｐｈａｓｅ  Ｓｈｉｆｔ  Ｋｅｙｉｎｇ）および１６直交振幅変調（１６ＱＡＭ：１６  Ｑｕａｄｒａｔｕｒｅ  Ａｍｐｌｉｔｕｄｅ  Ｍｏｄｕｌａｔｉｏｎ）のコードレートは、０．７０より高くなるべきではない。さらに、１６ＱＡＭおよび６４ＱＡＭのコードレートは、それぞれ、０．３２および０．４０より低くなるべきではない。薄い網掛けで示すように、表４内のＭＣＳのうちのいくつかは、準最適コードレートをもたらす。
【００１４】
送信が不適切なまたは準最適なコードレートに基づくとき、データスループットは低下するので、基地局における優れたスケジューリング実施は、表４に示されたあらゆる網掛け付きのＭＣＳの使用を避けるべきである。ＰＤＳＣＨのＯＦＤＭシンボルの実際の数が、想定された１１シンボルを逸脱するとき、使用可能なＭＣＳの数は有意に減ると結論付けることができる。
2020537384.tif 000005
2020537384.tif 000006
【００１５】
問題３：前述のように、ＮＲのスロット構造は、ＵＥが受信または送信するための割り当てられたリソースの量の遥かに大きな範囲を有して、より柔軟になる傾向がある。ＴＢＳテーブルを設計するベースは、有意に減少する。
【００１６】
前述の問題に対処するそのような方式でＴＢＳを判定するための、たとえば、ＮＲのための、システムおよび方法が必要とされている。
【発明の概要】
【００１７】
２つ以上の低密度パリティ検査（ＬＤＰＣ：Ｌｏｗ  Ｄｅｎｓｉｔｙ  Ｐａｒｉｔｙ  Ｃｈｅｃｋ）ベースグラフがＬＰＤＣ符号化のために使用され得るときにトランスポートブロックサイズ（ＴＢＳ）を判定および使用するためのシステムおよび方法が本明細書で開示される。いくつかの実施形態では、方法は、２つの異なるＬＤＰＣベースグラフのうちのどちらがコードブロックセグメント化のために使用されるかにかかわらずトランスポートブロックのコードブロックセグメント化が同サイズのコードブロックをもたらすように、公式を使用して物理チャネル送信を介してネットワークノードと無線デバイスとの間で通信されるトランスポートブロックのトランスポートブロックサイズ（ＴＢＳ）を判定することを含む。本方法はさらに、判定されたＴＢＳに従ってトランスポートブロックを送信または受信することを含む。
【００１８】
いくつかの実施形態では、ＴＢＳを判定することは、物理チャネル送信のためのコードレートＲが１／４以下であると判定することを含む。ＴＢＳを判定することは、Ｒが１／４以下であると判定したとき、コードブロックセグメント化のための第１のベースグラフを使用するときにＴＢＳの近似値、物理チャネル送信の各トランスポートブロックに添付された巡回冗長検査（ＣＲＣ：Ｃｙｃｌｉｃ  Ｒｅｄｕｎｄａｎｃｙ  Ｃｈｅｃｋ）ビットの数、および物理チャネル送信の各コードブロックに添付されたＣＲＣビットの数に基づいて物理チャネル送信のためのコードブロックＣの数を判定することと、コードブロックＣの数、ＴＢＳの近似値、および物理チャネル送信の各トランスポートブロックに添付されたＣＲＣビットの数に基づいて物理チャネル送信のためのＴＢＳを判定することとをさらに含む。
【００１９】
いくつかの実施形態では、コードブロックＣの数を判定することは、比率Ａ／Ｂを最も近い整数に切り上げることを含み、そこで、Ａは、ＴＢＳの近似値と物理チャネル送信の各トランスポートブロックに添付されたＣＲＣビットの数との合計であり、Ｂは、第１のベースグラフの最大ＴＢＳと物理チャネル送信の各コードブロックに添付されたＣＲＣビットの数との差である。さらに、いくつかの実施形態では、コードブロックＣの数、ＴＢＳの近似値、および物理チャネル送信の各トランスポートブロックに添付されたＣＲＣビットの数に基づいて物理チャネル送信のためのＴＢＳを判定することは、Ｘ・Ｙ−ＺとしてＴＢＳを判定することを含み、そこで、Ｘは、Ｃの関数である値であり、Ｙは、比率Ｙｎｕｍ／Ｙｄｅｎｏｍを最も近い整数に丸めた結果として生じた値であり、Ｙｎｕｍは、ＴＢＳの近似値と物理チャネル送信の各トランスポートブロックに添付されたＣＲＣビットの数との合計であり、Ｙｄｅｎｏｍ＝Ｘ、そして、Ｚは、物理チャネル送信の各トランスポートブロックに添付されたＣＲＣビットの数である。さらに、いくつかの実施形態では、Ｘ＝Ｃ・８。いくつかの他の実施形態では、Ｘは、Ｃと８との最小公倍数と等しい。
【００２０】
いくつかの実施形態では、物理チャネル送信の各トランスポートブロックに添付されたＣＲＣビットの数と物理チャネル送信の各コードブロックに添付されたＣＲＣビットの数との両方が、２４と等しい。
【００２１】
いくつかの実施形態では、ＴＢＳを判定することは、物理チャネル送信のためのコードレートＲが１／４より大きいことを判定することと、ＴＢＳの近似値が閾値より大きいことを判定することとを含む。ＴＢＳを判定することは、Ｒは１／４より大きいと判定し、かつＴＢＳの近似値は閾値より大きいと判定したとき、第１のベースグラフを使用するときにＴＢＳの近似値、物理チャネル送信の各トランスポートブロックに添付されたＣＲＣビットの数および物理チャネル送信の各コードブロックに添付されたＣＲＣビットの数に基づいて物理チャネル送信のためのコードブロックＣの数を判定することと、コードブロックＣの数、ＴＢＳの近似値、および物理チャネル送信の各トランスポートブロックに添付されたＣＲＣビットの数に基づいて物理チャネル送信のためのＴＢＳを判定することとをさらに含む。
【００２２】
いくつかの実施形態では、コードブロックＣの数を判定することは、比率Ａ／Ｂを最も近い整数に切り上げることによってコードブロックＣの数を判定することを含み、そこで、Ａは、ＴＢＳの近似値と物理チャネル送信の各トランスポートブロックに添付されたＣＲＣビットの数との合計であり、Ｂは、第１のベースグラフの最大ＴＢＳと物理チャネル送信の各コードブロックに添付されたＣＲＣビットの数との差である。さらに、いくつかの実施形態では、コードブロックＣの数、ＴＢＳの近似値、および物理チャネル送信の各トランスポートブロックに添付されたＣＲＣビットの数に基づいて物理チャネル送信のためのＴＢＳを判定することは、Ｘ・Ｙ−ＺとしてＴＢＳを判定することを含み、そこで、Ｘは、Ｃの関数である値であり、Ｙは、比率Ｙｎｕｍ／Ｙｄｅｎｏｍを最も近い整数に丸めた結果の値であり、Ｙｎｕｍは、ＴＢＳの近似値と物理チャネル送信の各トランスポートブロックに添付されたＣＲＣビットの数との合計であり、Ｙｄｅｎｏｍ＝Ｘ、そして、Ｚは、物理チャネル送信の各トランスポートブロックに添付されたＣＲＣビットの数である。いくつかの実施形態では、Ｘ＝Ｃ・８である。いくつかの他の実施形態では、Ｘは、Ｃと８の最小公倍数と等しい。
【００２３】
いくつかの実施形態では、物理チャネル送信の各トランスポートブロックに添付されたＣＲＣビットの数と物理チャネル送信の各コードブロックに添付されたＣＲＣビットの数との両方が、２４と等しい。
【００２４】
いくつかの実施形態では、ＴＢＳは、ＴＢＳの近似値は所定の値より大きいと判定した結果として、公式を使用して判定される。さらに、別の物理チャンネル送信を介してネットワークノードと無線デバイスとの間で通信される別のトランスポートブロックの別のＴＢＳは、その別のＴＢＳの近似値が所定の値以下であると判定した結果として、テーブルを使用して判定される。
【００２５】
いくつかの実施形態では、テーブル内のすべてのエントリ（ｋ）は、以下の条件を満たす：ｋは８の倍数であり、
2020537384.tif 000007
および
2020537384.tif 000008
、そこで、Ｍ０は、第１のベースグラフが使用された場合にトランスポートブロックに添付されたＣＲＣビットの数、Ｚ１は、２つの異なるベースグラフのうちの第１のベースグラフの所定の最大ＴＢＳであり、Ｍ１は、コードブロックの数が１より大きいおよび第１のベースグラフが使用される場合に、セグメント化の後の各コードブロックに添付されたＣＲＣビットの数であり、Ｍ２は、第２のベースグラフが使用される場合に、トランスポートブロックに添付されたＣＲＣビットの数であり、Ｚ２は、２つの異なるベースグラフのうちの第２のベースグラフの最大ＴＢＳであり、そして、Ｍ３は、コードブロックの数が１より大きいおよび第２のベースグラフが使用される場合に、セグメント化の後の各コードブロックに添付されたＣＲＣビットの数である。Ｍ０およびＭ２は、ｋに依存し得る。
【００２６】
いくつかの実施形態では、ＴＢＳが、ネットワークノードから受信されたダウンリンク制御情報（ＤＣＩ）に基づいて無線デバイスによって判定され、そして、トランスポートブロックが、判定されたＴＢＳに従って、ネットワークノードから無線デバイスによって受信される。
【００２７】
いくつかの実施形態では、ＴＢＳが、ネットワークノードから受信されたダウンリンク制御情報（ＤＣＩ）に基づいて無線デバイスによって判定され、トランスポートブロックが、判定されたＴＢＳに従って、無線デバイスからネットワークノードに送信される。
【００２８】
いくつかの実施形態では、ＴＢＳが、ネットワークノードによって判定され、トランスポートブロックが、ネットワークノードによって無線デバイスに送信される。
【００２９】
いくつかの他の実施形態では、方法は、物理チャネル送信を介してネットワークノードと無線デバイスとの間で通信されるトランスポートブロックのＴＢＳを判定することを含む。本方法はさらに、判定されたＴＢＳに従ってトランスポートブロックでコードブロックセグメント化を実行することを含み、そこで、コードブロックセグメント化を実行することは、コードブロックセグメント化が第１のＬＤＰＣベースグラフで実行されるかまたは第２のＬＤＰＣベースグラフで実行されるかに基づいて選択的にフィラービットをコードブロックに挿入して同サイズのコードブロックを獲得することを含む。本方法は、ＴＢＳに従ってトランスポートブロックを送信または受信することをさらに含む。
【００３０】
いくつかの実施形態では、選択的にフィラービットを挿入することは、物理チャネル送信のコードレートが１／４未満であるときにコードブロックセグメント化中にフィラービットを挿入することを含む。
【００３１】
いくつかの他の実施形態では、方法は、物理チャネル送信を介してネットワークノードと無線デバイスとの間で通信されるトランスポートブロックの近似ＴＢＳを判定することと、近似ＴＢＳ以上のテーブル内の最小エントリをトランスポートブロックのＴＢＳとして判定することと、判定されたＴＢＳに従ってトランスポートブロックを送信または受信することとを含む。
【００３２】
いくつかの実施形態では、テーブル内のすべてのエントリは、８の倍数であり、コードブロックセグメント化が、トランスポートブロックレベルおよびコードブロックレベルＣＲＣビットの添付の後に第１の所定の最大コードブロックサイズを有する第１のベースグラフで実行されるとき、テーブル内のすべてのエントリは、同サイズコードブロックを生じさせ、そして、トランスポートブロックレベルおよびコードブロックレベルＣＲＣビットの添付の後に、コードブロックセグメント化が、第２の所定の最大コードブロックサイズを有する第２のベースグラフで実行されるとき、テーブル内のすべてのエントリは同サイズコードブロックを生じさせる。
【００３３】
無線ノード（たとえば、基地局または無線デバイス）の実施形態もまた、開示される。
【００３４】
本明細書に組み込まれ、その一部を形成する添付の図面は、本開示の原理を説明するのに役立つ説明と共に、本開示のいくつかの態様を示す。
【図面の簡単な説明】
【００３５】
【図１】１４直交周波数分割多重（ＯＦＤＭ）シンボルを有するサブフレームを示す。
【図２】潜在的スロット変更形態を示す図である。
【図３】ミニスロットの一例を示す図である。
【図４】本開示のいくつかの実施形態によるダウンリンク受信のトランスポートブロックサイズ（ＴＢＳ）を判定および使用するためのユーザ機器（ＵＥ）の動作を示す図である。
【図５】本開示のいくつかの実施形態によるダウンリンク送信のＴＢＳを判定および使用するための基地局の動作を示す図である。
【図６】例示的無線ネットワークを示す図である。
【図７】本明細書に記載の様々な態様によるＵＥの一実施形態を示す図である。
【図８】いくつかの実施形態によって実装される機能がその中で仮想化され得る仮想化環境を示す概略的ブロック図である。
【図９】いくつかの実施形態によるホストコンピュータに中間ネットワークを介して接続された電気通信ネットワークを示す図である。
【図１０】いくつかの実施形態による部分的無線接続を介してＵＥと基地局を介して通信するホストコンピュータを示す図である。
【図１１】一実施形態による通信システムで実施される方法を示す流れ図である。
【図１２】一実施形態による通信システムで実施される方法を示す流れ図である。
【図１３】一実施形態による通信システムで実施される方法を示す流れ図である。
【図１４】一実施形態による通信システムで実施される方法を示す流れ図である。
【図１５】特定の実施形態による方法を示す図である。
【図１６】無線ネットワーク（たとえば、図６に示された無線ネットワーク）内の装置の概略的ブロック図である。
【発明を実施するための形態】
【００３６】
後述の実施形態は、実施形態を当業者が実施することを可能にするための情報を表し、実施形態を実施する最良のモードを示す。添付の図面を踏まえて以下の説明を読んだとき、当業者は、本開示の概念を理解し、本明細書で具体的に扱われていないこれらの概念の適用例を認識するであろう。これらの概念および適用例は本開示の範囲内にあることを理解されたい。
【００３７】
一般に、本明細書で使用されるすべての用語は、それが使用されている文脈から異なる意味が明確に与えられる及び／又は暗示されるのでない限り、関連技術分野におけるそれらの通常の意味に従って解釈されるものとする。１つの／その（ａ／ａｎ／ｔｈｅ）要素、装置、構成要素、手段、ステップなどのすべての参照は、特に明記のない限り、要素、装置、構成要素、手段、ステップなどの少なくとも１つの例を参照するものとしてオープンに解釈されるものとする。ステップが別のステップに続く若しくは先行するものとして明示的に記載されていない限り、及び／又はステップが別のステップに続く若しくは先行する必要があるということが黙示的である場合、本明細書で開示されるいずれの方法のステップも、開示されている正確な順番で実行される必要はない。本明細書で開示される実施形態のいずれかの任意の特徴は、適切な場合には、任意の他の実施形態に適用され得る。同様に、いずれかの実施形態の任意の利点は、任意の他の実施形態に適用することができ、逆もまた同様である。含まれる実施形態の他の目的、特徴及び利点が、以下の説明から明らかとなろう。
【００３８】
本願では、ユーザ機器デバイス（ＵＥ）、端末、ハンドセットなどの用語は、インフラストラクチャと通信するデバイスを示すために同義で使用される。それらの用語は、任意の特定のタイプのデバイスを意味すると解釈されるべきではなく、それらの用語は、それらのデバイスすべてに適用され、本明細書に記載の解決法は、記載されているような問題を解決するための関係する解決法を使用するすべてのデバイスに適用可能である。同様に、基地局は、ＵＥと通信するインフラストラクチャ内のノードを示すことが意図されている。異なる名称が適用可能であり、基地局の機能性はまた、様々な形で分散され得る。たとえば、無線プロトコルの無線ヘッド終了部分、および無線プロトコルの他の部分を終了させる集中型ユニットが存在し得る。ここで、我々はそのような実装形態を区別せず、そうではなくて、基地局という用語は、本開示の実施形態を実装することができるすべての代替アーキテクチャを指すことになる。
【００３９】
本明細書で企図される実施形態のうちのいくつかは、添付の図面を参照してここでさらに十分に説明されることになる。しかしながら、他の実施形態が、本明細書で開示される主題の範囲内に含まれ、開示される主題は、本明細書に記載の実施形態のみに限定されるものとして解釈されるべきでなく、そうではなくて、これらの実施形態は、当業者に本主題の範囲を伝えるために例として提供される。
【００４０】
ロングタームエボリューション（ＬＴＥ）で使用されるトランスポートブロックサイズ（ＴＢＳ）判定方式と関連する前述の問題に対処するために、テーブルの代わりに公式を介してＴＢＳを判定するための提案が行われた。ＴＢＳが以下のように判定される１つの例：
2020537384.tif 000009
そこで、
・νは、コード名がマップされた先のレイヤの数であり、
・
2020537384.tif 000010
は、物理ダウンリンク共有チャネル（ＰＤＳＣＨ）を運ぶために利用可能なスロット／ミニスロットごとの物理リソースブロック（ＰＲＢ）ごとのリソースエレメント（ＲＥ）の数であり、
・ＮＰＲＢは、割り当てられたＰＲＢの数であり、
・変調位数、Ｑｍ、および目標コードレート、Ｒ、は、ダウンリンク制御情報（ＤＣＩ）において信号伝達されるＩＭＣＳに基づいて変調符号化方式（ＭＣＳ）テーブルから読み取られ、そして、
・Ｃの例示的値は、ＴＢＳが８の倍数であることを確実にするために、８である。
ここでＮＰＲＢ、
2020537384.tif 000011
、υ、Ｑｍ、Ｒは、ＤＣＩを介して信号伝達される、または上位レイヤを介して設定される。他の公式もまた可能である。
【００４１】
単一低密度パリティ検査（ＬＤＰＣ）ベースグラフのためのＴＢＳを設計するときに同サイズコードブロックを達成する１つの手段は、以下のような公式を使用することである。次の公式を考慮する：
2020537384.tif 000012
この公式は、以下のように記述され得る：
2020537384.tif 000013
そこで、ＴＢＳ０は、スケジューリングリソース、ＭＣＳ、および多重入出力（ＭＩＭＯ：Ｍｕｌｔｉｐｌｅ  Ｉｎｐｕｔ  Ｍｕｌｔｉｐｌｅ  Ｏｕｔｐｕｔ）設定に従って判定された実際のＴＢＳの近似値である：
2020537384.tif 000014
【００４２】
一般に、ＴＢＳ０は、所望の近似ＴＢＳのための任意の公式を介して判定することができる。ＴＢＳ０をどのように判定するかのもう１つの例は、ＬＴＥ  ＴＢＳテーブルなどのルックアップテーブルにおいてそれを見つけることである。
【００４３】
コードブロックＣの数は、ＬＴＥと類似した、以下の形で判定されると想定する。コードブロックＣの総数は、以下によって判定される：
Ｉｆ  ＴＢＳ＋Ｌ１≦Ｚ
コードブロックの数：Ｃ＝１
Ｅｌｓｅ
コードブロックの数：
2020537384.tif 000015
Ｅｎｄ  ｉｆ
Ｃ＝１の場合、Ｌ１ＣＲＣビットが、各トランスポートブロックに添付される。Ｃ＞１の場合、Ｌ２ＣＲＣビットが、各トランスポートブロックに添付され、Ｌ３追加巡回冗長検査（ＣＲＣ）ビットが、セグメント化の後に各コードブロックに添付される。Ｚは、ＣＲＣビットを含む最大コードブロックサイズである。Ｌ１、Ｌ２およびＬ３のいくつかの例示的値は、０、８、１６、または２４である。Ｌ１、Ｌ２およびＬ３のうちのいくつかまたはすべては、等しくなり得る。
【００４４】
１つの例において、ＴＢＳは、次のように判定される：
Ｉｆ  Ｃ＝１
2020537384.tif 000016
Ｅｌｓｅ
2020537384.tif 000017
Ｅｎｄ  ｉｆ
Ａの例示的値は、ＴＢＳが８の倍数であることを確保するために、８である。Ａのもう１つの例示的値は１である。
【００４５】
もう１つの例において、ＴＢＳは、次のように判定される：
Ｉｆ  Ｃ＝１
2020537384.tif 000018
Ｅｌｓｅ
2020537384.tif 000019
Ｅｎｄ  ｉｆ
ここで、ｌｃｍ（Ｃ，Ａ）は、ＡおよびＣの最小公倍数である。Ａの例示的値は、ＴＢＳが８の倍数であることを確保するために、８である。Ａのもう１つの例示的値は、１である。
【００４６】
任意のＣＲＣビットを追加した後、トランスポートブロックが、最大の可能なコードブロックサイズより大きい場合、トランスポートブロックは、いくつかのコードブロックにセグメント化される必要がある。ＬＴＥにおいて、この手続きは、第３世代パートナーシッププロジェクト（３ＧＰＰ）技術仕様書（ＴＳ：Ｔｅｃｈｎｉｃａｌ  Ｓｐｅｃｉｆｉｃａｔｉｏｎ）３６．２１２  Ｖ１３．２．０（２０１６−０６）セクション５．１．２において記述されている。類似の手続きが新無線（ＮＲ）において適用されると見込まれる。
【００４７】
ＮＲについて規定された２つのセットのＬＤＰＣコードが存在する。一方のセットは、〜８／９から１／３までのコードレートおよび８４４８までのブロック長向けに設計され、ベースグラフ＃１と称され、ＢＧ＃１とも称される。他方のセットは、〜２／３から１／５までのコードレートおよび３８４０までのブロック長向けに規定され、ベースグラフ＃２またはＢＧ＃２と称される。これらのＬＤＰＣコードが、それらが設計されたものより低いレートで使用されるとき、反復および追跡結合が、より低いコードレートを達成するために使用される。
【００４８】
ある種の課題が現在存在する。ＬＴＥ  ＴＢＳテーブルは、コードブロックセグメント化が実行されるとき、セグメント化の後にすべてのコードブロックが同じサイズを有するように、設計される。このプロパティは、実施形態をより簡単にするので、望ましい。前述の公式などの公式が適用されるとき、このプロパティは、必ずしも満たされない。
【００４９】
同サイズコードブロックを達成する１つの手段は、コードブロックセグメント化の前にトランスポートブロックをゼロ詰めすることである。これには、いくつかの欠点がある。詰められたゼロが、＜ＮＵＬＬ＞のマークを付けられ、送信前に取り除かれる場合、これは、非効率的な、異なるコードレートを有する異なるコードブロックをもたらす。詰められたゼロが、送信前に取り除かれない場合、これは、非効率な、無用なビットの送信をもたらす。
【００５０】
ＮＲは、異なる最大コードブロックサイズを有する、ＬＤＰＣコードの２つの異なるベースグラフを使用する。使用されるベースグラフは、初期送信の効果的コードレートに依存する。前述の公式を使用して所与の最大コードブロックサイズ、たとえば、８４４８、を有する１つのベースグラフの同サイズコードブロックを達成するとき、計算されたＴＢＳは、異なる最大コードブロックサイズ、たとえば、３８４０、を有する異なるベースグラフを使用してコードブロックセグメント化が実行されるときに必ずしも同サイズコードブロックを与えない。これは、たとえば、ＮＲにおけるベースグラフのうちの１つのみを実装するＵＥについて、コードブロックセグメント化におけるフィラービットを生じさせる。
【００５１】
本開示のある特定の態様およびそれらの実施形態は、前述の問題または他の課題に対する解決法を提供し得る。一実施形態において、提案されている解決法は、ＮＲにおいて２つのベースグラフのうちのいずれかとコードブロックセグメント化が実行されるときに同サイズコードブロックを与える可能なＴＢＳのすべてまたはサブセットをテーブルに記載する。先ず、近似ＴＢＳ（ＴＢＳ０）が、公式を使用して計算され、次いで、ＴＢＳ０に近い値が、テーブルから選択される。
【００５２】
ある特定の実施形態は、以下の技術的利点のうちの１つまたは複数を提供し得る。いくつかの実施形態では、提案されている解決法は、ＮＲにおいていずれかのベースグラフを使用してコードブロックセグメント化が実行されるときに、同サイズコードブロックを与える。
【００５３】
ＴＢＳを判定するためのシステムおよび方法が本明細書に記載される。具体的には、無線ノードは、物理チャネルの送信のためのＴＢＳを判定し、判定されたＴＢＳに従って送信するまたは送信を受信する。これに関連して、図４は、ＵＥが、ダウンリンク物理チャネル（たとえば、物理ダウンリンクデータチャネル）の送信のためのＴＢＳを判定し（ステップ４００）、判定されたＴＢＳに従ってその送信を受信する（ステップ４０２）、一例を示す。図５は、ＵＥが、アップリンク物理チャネル（たとえば、物理アップリンクチャネル）の送信のためのＴＢＳを判定し（ステップ５００）、判定されたＴＢＳに従ってその送信を送信する（ステップ５０２）、一例を示す。以下の論考は、たとえば、ステップ４００および５００において、ＴＢＳがどのように判定されるかの詳細を提供する。
【００５４】
いくつかの実施形態では、ＵＥは、ＮＲにおいて２つのベースグラフ（ＢＧ１およびＢＧ２）の両方を実装する。これに関連して、第１の実施形態（実施形態１）では、ＴＢＳを判定するための公式に基づく手法は、バイト単位で揃えられたおよび、前述の合意および作業想定のように、コードブロックセグメント化の後に同サイズのコードブロックを与える最終的ＴＢＳを入力および出力として前述のようにＴＢＳ０を取ることができる。初期送信のレートに応じてどのベースグラフを使用するかを判定する作業想定は、コードブロックがセグメント化後に同サイズであるように、ＴＢＳを計算するときにどの最大コードブロックサイズを使用するかを判定する。
【００５５】
ＴＢＳの判定は、入力として近似ＴＢＳ（ＴＢＳ０）およびコードレート（Ｒｉｎｉｔ）を有して、以下のように実行され得る。以下の手続きは、ＢＧ１とＢＧ２との両方が所与の物理チャネルに利用可能であると想定し、そこで、送信器および受信器はＢＧ１とＢＧ２との両方を実装する。
Ｉｆ  Ｒｉｎｉｔ＞１／４  ／／／ＢＧ１を使用
Ｉｆ  ＴＢＳ０＋Ｌ１≦Ｚ１
コードブロックの数：Ｃ＝１
Ｉｆ  ＴＢＳ０≦３８２４
トランスポートブロックサイズ：
2020537384.tif 000020
ＬＤＰＣエンコーダまでの情報ブロックの長さ：ＣＢＳ＝ＴＢＳ＋Ｌ０
Ｅｌｓｅ
トランスポートブロックサイズ：
2020537384.tif 000021
ＬＤＰＣエンコーダまでの情報ブロックの長さ：ＣＢＳ＝ＴＢＳ＋Ｌ１
Ｅｎｄ
Ｅｌｓｅ
コードブロックの数：
2020537384.tif 000022
トランスポートブロックサイズ：
2020537384.tif 000023
ＬＤＰＣエンコーダまでの情報ブロックの長さ：
2020537384.tif 000024
Ｅｎｄ
Ｅｌｓｅ  ／／／ＢＧ２を使用
Ｉｆ  ＴＢＳ０＋Ｌ０≦Ｚ２
コードブロックの数：Ｃ＝１
トランスポートブロックサイズ：
2020537384.tif 000025
ＬＤＰＣエンコーダまでの情報ブロックの長さ：
ＣＢＳ＝ＴＢＳ＋Ｌ０
Ｅｌｓｅ
コードブロックの数：
2020537384.tif 000026
トランスポートブロックサイズ：
2020537384.tif 000027
ＬＤＰＣエンコーダまでの情報ブロックの長さ：
2020537384.tif 000028
Ｅｎｄ
Ｅｎｄ
Ｌ１＝Ｌ２＝２４、Ｌ０＝１６、Ｚ１＝８４４８、Ｚ２＝３８４０である。Ｌ０は、ＴＢＳ≦３８２４＿の場合の各トランスポートブロックに添付されたＣＲＣビットの数であり、Ｌ１は、ＴＢＳ＞３８２４の場合の各トランスポートブロックに添付されたＣＲＣビットの数であり、Ｌ２は、Ｃ＞１の場合（すなわち、それらがセグメント化された場合）のセグメント化後の各コードブロックに添付された追加のＣＲＣビットの数であり、Ｚ１はＢＧ１の最大コードブロックサイズ（ＣＲＣビットを含む）であり、Ｚ２はＢＧ２の最大コードブロックサイズ（ＣＲＣビットを含む）であることに留意されたい。さらに、ｌｃｍ（Ｃ，Ａ）は、ＣおよびＡの最小公倍数である。ｌｃｍ（Ｃ，Ａ）による乗算および除算は、ＴＢＳがバイト単位で揃えられることと、コードブロックが同サイズであることとを確実にする。本文書の他の場所に記載されたＭｘと前述のＬｘ変数を比較するとき、Ｌ０＝Ｍ０であり、ＴＢＳ＞３８２４の場合には、Ｍ０＝Ｍ２＝Ｌであり、ＴＢＳ≦３８２４の場合には、Ｍ０＝Ｍ２＝Ｌ０であり、そして、Ｍ１＝Ｍ３＝Ｌ２であることに留意されたい。
【００５６】
ＮＲにおいてＵＥが２つのベースグラフ（ＢＧ１およびＢＧ２）の両方を実装する第２の実施形態（実施形態２）は、次のとおりである。前述の第１の実施形態では、Ｒｉｎｉｔ＜Ｒ閾値、Ｒ閾値＝１／４、である限り、ＢＧ２は、任意に大きなＴＢＳをサポートするために使用され得ると想定される。１つの変更形態は、ＢＧ２がＴＢＳ＜＝ＴＢＳｍａｘ２に適用可能になるようにさらに制限されるというものである。次いで、ＴＢＳ＞ＴＢＳｍａｘ２について、ＢＧ１が常に使用される。
【００５７】
いくつかの他の実施形態では、ＵＥは、ＮＲの２つのベースグラフのうちの１つのみを実装する。１つのみのベースグラフを実装するＵＥについて、ＴＢＳ判定のための３つのオプションは、以下のとおりである：
・オプション１：１つのみのベースグラフを実装するＵＥのために異なるＴＢＳ公式を使用する、たとえば、ＢＧ１のみを実装するＵＥは、すべてのコードレートの最大コードブロックサイズとして８４４８を使用するコードブロックセグメント化を実行する。ＴＢＳ判定を適切に調節して同サイズコードブロックを確保する。
・オプション２：ＴＢＳ判定の実施形態１または実施形態２において前述の手続きを使用し、同サイズでないコードブロックを生じさせる任意のＴＢＳに対処するために、送信されないフィラービットを使用する。
・オプション３：使用されるＴＢＳのうちのすべてまたはいくつかが、どのベースグラフがコードブロックセグメント化のために使用されるかにかかわらず同サイズのコードブロックを確保するように、ＴＢＳ判定公式を変更する。
【００５８】
本開示の実施形態は、オプション１、オプション２、および／またはオプション３を使用するＴＢＳ判定を提供する。たとえば、いくつかの実施形態では、ＴＢＳ判定が、オプション３に従って実行される。いくつかの他の実施形態では、ＴＢＳ判定が、オプション２およびオプション３の混合に従って実行され、そこでは、ＴＢＳのいくつかの範囲は、オプション３の適用を受け、ＴＢＳのいくつかの他の範囲は、オプション２の適用を受ける。
【００５９】
オプション１は、全く同じスケジューリング割り当てが、どのベースグラフが使用されるかに応じて異なるＴＢＳを生じさせ得るという意味で、ＴＢＳ判定は、どのベースグラフをＵＥがサポートするかに依存し、上位レイヤは、どのベースグラフをＵＥがサポートするかを考慮する必要があるという欠点を有する。オプション１は、上位レイヤに対して透過的ではない。
【００６０】
オプション２は、ＵＥカテゴリから独立したＴＢＳ判定を可能にするが、いくつかのＴＢサイズについて挿入される必要がある余分なフィラービットにより実装形態および仕様の複雑性のわずかな増加をもたらす。具体的には、Ｒｉｎｉｔ＞１／４について、ＴＢＳはＢＧ１に合わせてあるので、フィラービットが、ＢＧ２が使用されるときに（たとえば、ＢＧ２のみのＵＥについて）必要とされ得、同様に、Ｒｉｎｉｔ＜＝１／４については、ＴＢＳはＢＧ２に合わせてあるので、フィラービットが、ＢＧ１が使用されるとき（たとえば、ＢＧ１のみのＵＥについて）必要とされ得る。オプション２は、いくつかのＴＢＳのコードブロックセグメント化においてフィラービットの挿入を必要とする。
【００６１】
オプション３はまた、ＵＥカテゴリから独立したＴＢＳ判定を可能にするが、ＴＢＳが、ＢＧ１とＢＧ２との両方でセグメント化するときに、同サイズのコードブロックを生じさせるという要件は、使用可能なＴＢＳをよりわずかにさせ、ＴＢＳ判定をわずかにより複雑にする。オプション３は、よりわずかなＴＢＳを与え、実装および指定するのがより複雑である。
【００６２】
オプション３の詳細：１つの非制限的実施形態において、近似ＴＢＳ  ＴＢＳ０は、前述のような公式から、またはテーブル検索をとおして、判定される。ＴＢＳは、次いで、以下の条件を満たすＴＢＳ０以上の最小の整数として選択される：
１．ｋが８の倍数である
2020537384.tif 000029
そこで、Ｍ０は、第１のベースグラフが使用された場合にトランスポートブロックに添付されたＣＲＣビットの数であり、Ｚ１は、２つの異なるベースグラフのうちの第１のベースグラフの所定の最大ＴＢＳであり、Ｍ１は、コードブロックの数が１より大きいおよび第１のベースグラフが使用される場合に、セグメント化の後の各コードブロックに添付されたＣＲＣビットの数であり、Ｍ２は、第２のベースグラフが使用される場合に、トランスポートブロックに添付されたＣＲＣビットの数であり、Ｚ２は、２つの異なるベースグラフのうちの第２のベースグラフの最大ＴＢＳであり、そして、Ｍ３は、コードブロックの数が１より大きいおよび第２のベースグラフが使用される場合に、セグメント化の後の各コードブロックに添付されたＣＲＣビットの数である。Ｍ０およびＭ２は、ｋに依存し得る。
【００６３】
別の非制限的実施形態において、ＴＢＳは、最小絶対差｜ｋ−ＴＢＳ０｜からＴＢＳ０を有する条件１〜３を満たす整数ｋとして選択される。
【００６４】
条件１〜３を満たすＴＢＳ０以上の最小の整数を見つける１つの手段は、以下のアルゴリズムである：
2020537384.tif 000030
ＦＯＵＮＤ＝ＦＡＬＳＥ．
Ｗｈｉｌｅ（ＦＯＵＮＤ＝＝ＦＡＬＳＥ）
Ｉｆ
2020537384.tif 000031
Ｉｆ
2020537384.tif 000032
ＦＯＵＮＤ＝ＴＲＵＥ
Ｅｎｄ  ｉｆ
Ｅｎｄ  ｉｆ
ｋ＝ｋ＋８
Ｅｎｄ  ｗｈｉｌｅ
ＴＢＳ＝ｋ
【００６５】
１つの非制限的実施形態において、近似ＴＢＳ  ＴＢＳ０が、前述のような公式から、またはテーブル検索をとおして、判定される。ＴＢＳは、次いで、ＴＢＳ０に基づく可能な値のテーブルから選択される。１つの非制限的例において、ＴＢＳは、ＴＢＳ０以上のテーブル内の最小エントリとして選択される。もう１つの非制限的例において、ＴＢＳは、ＴＢＳ０に最も近いテーブル内のエントリとして選択される。もう１つの非制限的例では、ＴＢＳに加えたトランスポートブロック上の任意の追加ＣＲＣビットによって規定されるものとしての符号化レートと、割り当てられたリソースに適合し得る符号化されたビットの数によって分けられたコードブロックレベルとが、ある特定の閾値を超えない限り、ＴＢＳは、前述の実施形態のうちの１つにあるように選択される。この場合、ＴＢＳは、符号化レートが閾値を超えないテーブル内の最大値として選択される。
【００６６】
１つの例において、テーブルは、以下を満たすＴＢＳ＿ｍｉｎ、最小の可能なＴＢＳ＿ｖａｌｕｅ、とＴＢＳ＿ｍａｘとの間のすべての整数を含む：
１．ｋは８の倍数である
2020537384.tif 000033
これは、テーブル内のすべてのエントリが８の倍数である（すなわち、バイト単位で揃えられている）ことを確実にする。条件２は、トランスポートブロックレベルおよびコードブロックレベルＣＲＣビットが添付された後に、最大コードブロックサイズＺ１を有するベースグラフでコードブロックセグメント化が実行されるときにテーブル内のすべてのエントリが同サイズコードブロックを生じさせることを確実にする。条件３は、トランスポートブロックレベルおよびコードブロックレベルＣＲＣビットが添付された後に、最大コードブロックサイズＺ２を有するベースグラフでコードブロックセグメント化が実行されるときにテーブル内のすべてのエントリが同サイズコードブロックを生じさせることを確実にする。他の類似の条件が、３つ以上のベースグラフが使用される場合に、追加され得る。
【００６７】
ＮＲにおいて使用されるいくつかの例示的値は
ｋ≧３８２４についてＭ０＝２４、そして、ｋ＜３８２４についてＭ０＝１６。Ｍ１＝Ｍ２＝２４、Ｚ１＝８４４８、Ｚ２＝３８４０。
【００６８】
もう１つの非制限的例において、テーブルは、前述の１〜３を満たす整数のサブセットを含む。たとえば、
2020537384.tif 000034
が、何らかの１について、ある特定の値、たとえば０．９５、を超えないように、テーブル内のエントリは、選択され得る。テーブル内のエントリの数を制限する１つの理由は、実装形態および仕様の複雑性を低減するためである。
【００６９】
もう１つの非制限的例において、ＴＢＳを判定する異なる手段が、ＴＢＳの異なる範囲について使用される。たとえば、スケジューリングリソース、大きいＴＢＳに対応するＭＣＳおよびＭＩＭＯ設定、またはＬＤＰＣコードレートのある特定の範囲の値について、ＴＢＳは、入力として１つのベースグラフからの１つのみの最大コードブロックサイズを使用する前述のような公式に従って、判定され、その一方で、他の値については、エントリが前述の条件１〜３を満たすテーブルが使用される。
【００７０】
ＴＢＳの小さい値については、ＴＢＳを判定する異なる手段が、小さいブロック長のＬＤＰＣコードについて性能差を考慮するために使用され得ることに留意されたい。
【００７１】
もう１つの例において、テーブルのいくつかのエントリは、条件１〜３を満たし、その一方で、いくつかの他のエントリは、条件（１および２）または（１および３）のみを満たす。これは、ＴＢＳのいくつかの範囲について、コードブロックセグメント化は、ＢＧ１とＢＧ２との両方について同サイズのコードブロックを生じさせ、その一方で、いくつかの他の範囲は、ベースグラフのうちの１つについて同サイズのコードブロックのみを生じさせることを意味する。
【００７２】
ｋ≧３８２４についてＭ０＝２４およびｋ＜３８２４についてＭ０＝１６を有する条件１〜３を満たす２４と３ｅ６との間のすべての整数の例示的テーブルが、以下に続く。Ｍ１＝Ｍ２＝２４、Ｚ１＝８４４８、Ｚ２＝３８４０である：
2020537384.tif 000035
2020537384.tif 000036
2020537384.tif 000037
2020537384.tif 000038
2020537384.tif 000039
2020537384.tif 000040
2020537384.tif 000041
2020537384.tif 000042
2020537384.tif 000043
2020537384.tif 000044
【００７３】
本明細書に記載の主題は、任意の適切な構成要素を使用する任意の適切なタイプのシステムにおいて実装され得るが、本明細書で開示される実施形態は、図６に示された例示的ワイヤレスネットワークなど、ワイヤレスネットワークに関連して説明される。簡単にするために、図６のワイヤレスネットワークは、ネットワーク６０６、ネットワークノード６６０及び６６０ｂ、並びにＷＤ６１０、６１０ｂ、及び６１０ｃのみを示す。実際には、ワイヤレスネットワークは、ワイヤレスデバイス間の通信或いはワイヤレスデバイスと固定電話、サービスプロバイダ、又は任意の他のネットワークノード若しくはエンドデバイスなどの別の通信デバイスとの間の通信をサポートするのに適した任意の付加的要素をさらに含み得る。示されている構成要素について、ネットワークノード６６０および無線デバイス（ＷＤ：Ｗｉｒｅｌｅｓｓ  Ｄｅｖｉｃｅ）６１０が、さらに詳しく描かれる。ワイヤレスネットワークは、ワイヤレスネットワークによって又はこれを介して提供されるサービスへのワイヤレスデバイスのアクセス及び／又はそのようなサービスのワイヤレスデバイスの使用を円滑にするために、通信及び他のタイプのサービスを１つ又は複数のワイヤレスデバイスに提供し得る。
【００７４】
ワイヤレスネットワークは、任意のタイプの通信、電気通信、データ、セルラ、及び／又は無線ネットワーク又は他の類似のタイプのシステムを備える、及び／又はそれらとインターフェースすることができる。一部の実施形態では、ワイヤレスネットワークは、特定の標準又は他のタイプの予め規定されたルール又は手続きに従って動作するように設定され得る。したがって、ワイヤレスネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＬＴＥ及び／又は他の適切な第２、第３、第４、又は第５世代（２Ｇ、３Ｇ、４Ｇ、又は５Ｇ）標準などの通信標準、ＩＥＥＥ８０２．１１標準などのワイヤレスローカルエリアネットワーク（ＷＬＡＮ：Ｗｉｒｅｌｅｓｓ  Ｌｏｃａｌ  Ａｒｅａ  Ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切なワイヤレス通信標準を実装し得る。
【００７５】
ネットワーク６０６は、１つ又は複数のバックホールネットワーク、コアネットワーク、インターネットプロトコル（ＩＰ）ネットワーク、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋ）、パケットデータネットワーク、光ネットワーク、ワイドエリアネットワーク（ＷＡＮ）、ローカルエリアネットワーク（ＬＡＮ）、ＷＬＡＮワイヤードネットワーク、ワイヤレスネットワーク、メトロポリタンエリアネットワーク、及び、デバイス間の通信を可能にするための他のネットワークを備え得る。
【００７６】
ネットワークノード６６０及びＷＤ６１０は、さらに詳しく後述される様々な構成要素を備える。これらの構成要素は、ワイヤレスネットワークにおいてワイヤレス接続を提供することなど、ネットワークノード及び／又はワイヤレスデバイス機能性を提供するために連携する。異なる実施形態において、ワイヤレスネットワークは、任意の数のワイヤード又はワイヤレスネットワーク、ネットワークノード、基地局、コントローラ、ワイヤレスデバイス、リレー局、並びに／或いは、ワイヤード接続又はワイヤレス接続のいずれを介してでもデータ及び／又は信号の通信を円滑にする又はこれに参加する任意の他の構成要素又はシステムを備え得る。
【００７７】
本明細書では、ネットワークノードは、ワイヤレスデバイスへのワイヤレスアクセスを可能にする及び／又は提供するためにワイヤレスデバイスと及び／又はワイヤレスネットワーク内の他のネットワークノード又は機器と直接的又は間接的に通信する並びに／或いはワイヤレスネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、拡張又は発展型ノードＢ（ｅＮＢ）及びＮＲ基地局（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分はまた、分散型アンテナシステム（ＤＡＳ：Ｄｉｓｔｒｉｂｕｔｅｄ  Ａｎｔｅｎｎａ  Ｓｙｓｔｅｍ）内のノードとも称され得る。ネットワークノードのさらなる例には、マルチスタンダード無線（ＭＳＲ：Ｍｕｌｔｉ−Ｓｔａｎｄａｒｄ  Ｒａｄｉｏ）機器、たとえばＭＳＲ  ＢＳ、ネットワークコントローラ、たとえば無線ネットワークコントローラ（ＲＮＣ：Ｒａｄｉｏ  Ｎｅｔｗｏｒｋ  Ｃｏｎｔｒｏｌｌｅｒ）または基地局コントローラ（ＢＳＣ：Ｂａｓｅ  Ｓｔａｔｉｏｎ  Ｃｏｎｔｒｏｌｌｅｒ）、基地局トランシーバ（ＢＴＳ：Ｂａｓｅ  Ｔｒａｎｓｃｅｉｖｅｒ  Ｓｔａｔｉｏｎ）、送信ポイント、送信ノード、マルチセル／マルチキャストコーディネーションエンティティ（ＭＣＥ）、コアネットワークノード（たとえば、移動交換局（ＭＳＣ：Ｍｏｂｉｌｅ  Ｓｗｉｔｃｈｉｎｇ  Ｃｅｎｔｅｒ）、モビリティ管理エンティティ（ＭＭＥ：Ｍｏｂｉｌｉｔｙ  Ｍａｎａｇｅｍｅｎｔ  Ｅｎｔｉｔｙ））、運用保守（Ｏ＆Ｍ：Ｏｐｅｒａｔｉｏｎ  ａｎｄ  Ｍａｉｎｔｅｎａｎｃｅ）ノード、運用サポートシステム（ＯＳＳ：Ｏｐｅｒａｔｉｏｎｓ  Ｓｕｐｐｏｒｔ  Ｓｙｓｔｅｍ）ノード、自己組織化ネットワーク（ＳＯＮ：Ｓｅｌｆ−Ｏｒｇａｎｉｚｉｎｇ  Ｎｅｔｗｏｒｋ）ノード、ポジショニングノード（たとえば、エボルブドサービングモバイルロケーションセンタ（Ｅ−ＳＭＬＣ：Ｅｖｏｌｖｅｄ  Ｓｅｒｖｉｎｇ  Ｍｏｂｉｌｅ  Ｌｏｃａｔｉｏｎ  Ｃｅｎｔｅｒ））、および／またはドライブテストの最小化（ＭＤＴ：Ｍｉｎｉｍｉｚａｔｉｏｎ  ｏｆ  Ｄｒｉｖｅ  Ｔｅｓｔ）が含まれる。別の例として、ネットワークノードは、さらに詳しく後述するような仮想ネットワークノードでもよい。しかしながら、より一般的には、ネットワークノードは、ワイヤレスネ��トワークへのアクセスをワイヤレスデバイスに可能にする及び／又は提供するための或いはワイヤレスネットワークにアクセスしたワイヤレスデバイスに何らかのサービスを提供するための能力を有する、そのように設定された、配置された、及び／又は動作可能な任意の適切なデバイス（又はデバイスのグループ）を表し得る。
【００７８】
図６において、ネットワークノード６６０は、処理回路６７０、デバイス可読媒体６８０、インターフェース６９０、補助機器６８４、電源６８６、電力回路６８７、及びアンテナ６６２を含む。図６の例示的ワイヤレスネットワークに示されたネットワークノード６６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード６６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体６８０は、複数の別個のハードドライブ並びに複数のランダムアクセスメモリ（ＲＡＭ）モジュールを備え得る）。
【００７９】
同様に、ネットワークノード６６０は、独自のそれぞれの構成要素をそれぞれが有し得る複数の物理的に別個の構成要素（たとえば、ノードＢ構成要素及びＲＮＣ構成要素、又はＢＴＳ構成要素及びＢＳＣ構成要素など）で構成され得る。ネットワークノード６６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のノードＢを制御し得る。そのようなシナリオでは、各固有のノードＢ及びＲＮＣペアは、場合によっては、単一の別個のネットワークノードと考えられ得る。一部の実施形態では、ネットワークノード６６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体６８０）、いくつかの構成要素は再使用され得る（たとえば、同じアンテナ６６２がＲＡＴによって共用され得る）。ネットワークノード６６０はまた、たとえば、ＧＳＭ、ＷＣＤＭＡ、ＬＴＥ、ＮＲ、ＷｉＦｉ、又はブルートゥースワイヤレス技術など、ネットワークノード６６０に統合された異なるワイヤレス技術のための様々な図示された構成要素の複数のセットを含み得る。これらのワイヤレス技術は、ネットワークノード６６０内の同じ又は異なるチップ又はチップのセット及び他の構成要素内に統合され得る。
【００８０】
処理回路６７０は、ネットワークノードによって提供されているものとして本明細書に記載された任意の判定、計算又は類似の動作（たとえば、ある種の取得動作）を実行するように設定される。処理回路６７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路６７０によって取得された情報を処理すること、並びに前記処理の結果として判定を行うことを含み得る。
【００８１】
処理回路６７０は、マイクロプロセッサ、コントローラ、マイクロコントローラ、中央処理装置（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）、または任意の他の適切なコンピュータデバイス、リソースのうちの１つまたは複数の組合せ、あるいは、ネットワークノード６６０機能性を単独でまたはデバイス可読媒体６８０などの他のネットワークノード６６０構成要素と連動して提供するように動作可能なハードウェア、ソフトウェアおよび／またはエンコードされたロジックの組合せを備え得る。たとえば、処理回路６７０は、デバイス可読媒体６８０に又は処理回路６７０内のメモリに記憶された命令を実行し得る。そのような機能性は、本明細書で論じられる様々なワイヤレス特徴、機能、又は利益のいずれかの提供を含み得る。一部の実施形態では、処理回路６７０は、システムオンチップ（ＳＯＣ）を含み得る。
【００８２】
一部の実施形態では、処理回路６７０は、無線周波数（ＲＦ）トランシーバ回路６７２及びベースバンド処理回路６７４のうちの１つ又は複数を含み得る。一部の実施形態では、無線周波数（ＲＦ）トランシーバ回路６７２及びベースバンド処理回路６７４は、別個のチップ（又はチップのセット）、ボード、又は、無線ユニット及びデジタルユニットなどのユニット上でもよい。代替実施形態において、ＲＦトランシーバ回路６７２及びベースバンド処理回路６７４の一部又はすべては、同じチップ又はチップのセット、ボード、又はユニット上でもよい。
【００８３】
ある種の実施形態では、ネットワークノード、基地局、ｅＮＢ又は他のそのようなネットワークデバイスによって提供されているものとしての本明細書に記載の機能性の一部又はすべては、デバイス可読媒体６８０又は処理回路６７０内のメモリに記憶された命令を実行する処理回路６７０によって実行され得る。代替実施形態において、機能性のうちの一部又はすべては、ハードワイヤード方式などで、別個の又はディスクリートデバイスの可読媒体に記憶された命令を実行することなしに処理回路６７０によって提供され得る。それらの実施形態のいずれにおいてでも、デバイス可読記憶媒体に記憶された命令を実行してもしなくても、処理回路６７０は、記載された機能を実行するように設定することができる。そのような機能によってもたらされる利益は、単独で処理回路６７０に又はネットワークノード６６０の他の構成要素に制限されないが、ネットワークノード６６０全体によって、並びに／或いは一般にエンドユーザ及びワイヤレスネットワークによって享受される。
【００８４】
デバイス可読媒体６８０は、処理回路６７０によって使用され得る情報、データ、及び／又は命令を記憶する永続記憶装置、ソリッドステートメモリ、リモートに搭載されたメモリ、磁気媒体、光媒体、ＲＡＭ、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体６８０は、コンピュータプログラム、ソフトウェア、ロジック、ルール、コード、テーブルなどのうちの１つ又は複数を含むアプリケーション、及び／又は処理回路６７０によって実行することができる及びネットワークノード６６０によって使用することができる他の命令を含む、任意の適切な命令、データ又は情報を記憶し得る。デバイス可読媒体６８０は、処理回路６７０によって行われる任意の計算及び／又はインターフェース６９０を介して受信される任意のデータを記憶するために使用され得る。一部の実施形態では、処理回路６７０及びデバイス可読媒体６８０は、統合されると考えられ得る。
【００８５】
インターフェース６９０は、ネットワークノード６６０、ネットワーク６０６、及び／又はＷＤ６１０の間のシグナリング及び／又はデータのワイヤード又はワイヤレス通信において使用される。図示されているように、インターフェース６９０は、たとえば、ワイヤード接続を介してネットワーク６０６に及びネットワーク６０６から、データを送信及び受信するために、ポート／端末６９４を備える。インターフェース６９０はまた、アンテナ６６２に連結され得る又はある種の実施形態においてアンテナ６６２の一部であることがある、無線フロントエンド回路６９２を含む。無線フロントエンド回路６９２は、フィルタ６９８及び増幅器６９６を備える。無線フロントエンド回路６９２は、アンテナ６６２及び処理回路６７０に接続され得る。無線フロントエンド回路は、アンテナ６６２と処理回路６７０との間で通信される信号を調整するように設定され得る。無線フロントエンド回路６９２は、ワイヤレス接続を介して他のネットワークノード又はＷＤに送出されることになるデジタルデータを受信し得る。無線フロントエンド回路６９２は、フィルタ６９８及び／又は増幅器６９６の組合せを使用する適切なチャンネル及び帯域幅パラメータを有する無線信号にデジタルデータを変換し得る。無線信号は、次いで、アンテナ６６２を介して送信され得る。同様に、データを受信するとき、アンテナ６６２は、次いで無線フロントエンド回路６９２によってデジタルデータに変換される無線信号を収集し得る。デジタルデータは、処理回路６７０に渡され得る。他の実施形態において、インターフェースは、異なる構成要素及び／又は異なる組合せの構成要素を備え得る。
【００８６】
ある種の代替実施形態において、ネットワークノード６６０は、別個の無線フロントエンド回路６９２を含まないことがあり、代わりに、処理回路６７０が、無線フロントエンド回路を備え得、別個の無線フロントエンド回路６９２なしにアンテナ６６２に接続され得る。同様に、一部の実施形態では、すべての又は一部のＲＦトランシーバ回路６７２は、インターフェース６９０の一部と考えられ得る。さらに他の実施形態において、インターフェース６９０は、１つ又は複数のポート又は端末６９４、無線フロントエンド回路６９２、並びにＲＦトランシーバ回路６７２、無線ユニット（図示せず）の一部としての、を含み得、そして、インターフェース６９０は、デジタルユニット（図示せず）の一部であるベースバンド処理回路６７４と通信し得る。
【００８７】
アンテナ６６２は、ワイヤレス信号を送信及び／又は受信するように設定された、１つ又は複数のアンテナ、又はアンテナアレイを含み得る。アンテナ６６２は、無線フロントエンド回路６９０に結合され得、ワイヤレスにデータ及び／又は信号を送信及び受信する能力を有する任意のタイプのアンテナでもよい。一部の実施形態では、アンテナ６６２は、たとえば、２ギガヘルツ（ＧＨｚ）と６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、そして、パネルアンテナは、相対的に直線で無線信号を送信／受信するために使用されるサイトアンテナのラインでもよい。場合によっては、複数のアンテナの使用は、ＭＩＭＯと称され得る。ある種の実施形態では、アンテナ６６２は、ネットワークノード６６０とは別個でもよく、インターフェース又はポートを介してネットワークノード６６０に接続可能になり得る。
【００８８】
アンテナ６６２、インターフェース６９０、及び／又は処理回路６７０は、ネットワークノードによって実行されるものとして本明細書に記載された任意の受信動作及び／又はある種の取得動作を実行するように設定され得る。任意の情報、データ及び／又は信号が、ワイヤレスデバイス、別のネットワークノード及び／又は任意の他のネットワーク機器から受信され得る。同様に、アンテナ６６２、インターフェース６９０、及び／又は処理回路６７０は、ネットワークノードによって実行されるものとして本明細書に記載された任意の送信動作を実行するように設定され得る。任意の情報、データ及び／又は信号が、ワイヤレスデバイス、別のネットワークノード及び／又は任意の他のネットワーク機器に送信され得る。
【００８９】
電力回路６８７は、電力管理回路を備え得る、又はこれに連結され得、本明細書に記載の機能性を実行するための電力をネットワークノード６６０の構成要素に供給するように設定される。電力回路６８７は、電源６８６から電力を受信し得る。電源６８６及び／又は電力回路６８７は、それぞれの構成要素に適した形でネットワークノード６０６の様々な構成要素に電力を提供する（たとえば、それぞれの構成要素のために必要とされる電圧及び電流レベルで）ように設定され得る。電源６８６は、電力回路６８７及び／又はネットワークノード６６０に含まれても、これらの外部でもよい。たとえば、ネットワークノード６６０は、電気ケーブルなどの入力回路又はインターフェースを介して外部電源（たとえば、電気コンセント）に接続可能になり得、それにより、外部電源が電力回路６８７に電力を供給する。さらなる例として、電源６８６は、電力回路６８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【００９０】
ネットワークノード６６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図６に示されたものを超える追加の構成要素を含み得る。たとえば、ネットワークノード６６０は、ネットワークノード６６０への情報の入力を可能にするために、及びネットワークノード６６０からの情報の出力を可能にするために、ユーザインターフェース機器を含み得る。これは、ネットワークノード６６０のための診断、メンテナンス、修理、及び他の管理機能をユーザが実行することを可能にし得る。
【００９１】
本明細書では、ＷＤは、ネットワークノード及び／又は他のワイヤレスデバイスとワイヤレスに通信する能力を有する、そのように設定された、配置された及び／又は動作可能なデバイスを指す。特に断りのない限り、ＷＤという用語は、ＵＥと同義で本明細書において使用され得る。ワイヤレスに通信することは、電磁波、無線波、赤外線波、及び／又は電波を介して情報を伝えるのに適した他のタイプの信号を使用してワイヤレス信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。ＷＤの例は、スマートフォン、携帯電話、セルフォン、ボイスオーバーＩＰ（ＶｏＩＰ）フォン、ワイヤレスローカルループフォン、デスクトップコンピュータ、携帯情報端末（ＰＤＡ）、ワイヤレスカメラ、ゲーム機又はデバイス、音楽記憶デバイス、再生装置、ウェアラブル端末デバイス、ワイヤレスエンドポイント、モバイル局、タブレット、ラップトップ、ラップトップ埋め込み機器（ＬＥＥ）、ラップトップ搭載機器（ＬＭＥ）、スマートデバイス、ワイヤレス顧客構内機器（ＣＰＥ）。車両搭載ワイヤレス端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではマシンタイプ通信（ＭＴＣ）デバイスと称され得るマシン対マシン（Ｍ２Ｍ）デバイスでもよい。１つの特定の例として、ＷＤは、３ＧＰＰ  ＮＢ−ＩｏＴ（Ｎａｒｒｏｗｂａｎｄ  ＩｏＴ）標準を実装するＵＥでもよい。そのようなマシン又はデバイスの具体的な例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。他のシナリオにおいて、ＷＤは、その動作状況の監視及び／又は報告或いはその動作に関連する他の機能の能力を有する車両又は他の機器を表し得る。前述のようなＷＤは、ワイヤレス接続のエンドポイントを表し得、その場合、デバイスはワイヤレス端末と称され得る。さらに、前述のようなＷＤは、モバイルでもよく、その場合、それはモバイルデバイス又はモバイル端末とも称され得る。
【００９２】
図示されているように、ワイヤレスデバイス６１０は、アンテナ６１１、インターフェース６１４、処理回路６２０、デバイス可読媒体６３０、ユーザインターフェース機器６３２、補助機器６３４、電源６３６及び電力回路６３７を含む。ＷＤ６１０は、たとえば、少し例を挙げると、ＧＳＭ、ＷＣＤＭＡ、ＬＴＥ、ＮＲ、ＷｉＦｉ、ＷｉＭＡＸ、又はブルートゥースワイヤレス技術など、ＷＤ６１０によってサポートされる異なるワイヤレス技術のための、図示された構成要素のうちの１つ又は複数の構成要素の複数のセットを含み得る。これらのワイヤレス技術は、ＷＤ６１０内の他の構成要素と同じ又は異なるチップ又はチップのセットに統合され得る。
【００９３】
アンテナ６１１は、ワイヤレス信号を送信及び／又は受信するように設定された１つ又は複数のアンテナ又はアンテナアレイを含み得、インターフェース６１４に接続される。ある種の代替実施形態において、アンテナ６１１は、ＷＤ６１０とは別個でもよく、インターフェース又はポートを介してＷＤ６１０に接続可能になり得る。アンテナ６１１、インターフェース６１４、及び／又は処理回路６２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ６１１は、インターフェースと考えられ得る。
【００９４】
図示されているように、インターフェース６１４は、無線フロントエンド回路６１２及びアンテナ６１１を備える。無線フロントエンド回路６１２は、１つ又は複数のフィルタ６１８及び増幅器６１６を備える。無線フロントエンド回路６１４は、アンテナ６１１及び処理回路６２０に接続され、アンテナ６１１と処理回路６２０との間で通信される信号を調整するように設定される。無線フロントエンド回路６１２は、アンテナ６１１に連結され得る、又はアンテナ６１１の一部でもよい。一部の実施形態では、ＷＤ６１０は、別個の無線フロントエンド回路６１２を含まないことがあり、そうではなくて、処理回路６２０は、無線フロントエンド回路を備え得、アンテナ６１１に接続され得る。同様に、一部の実施形態では、ＲＦトランシーバ回路６２２の一部又はすべては、インターフェース６１４の一部と考えられ得る。無線フロントエンド回路６１２は、ワイヤレス接続を介して他のネットワークノード又はＷＤに送出されることになるデジタルデータを受信し得る。無線フロントエンド回路６１２は、フィルタ６１８及び／又は増幅器６１６の組合せを使用して適切なチャンネル及び帯域幅パラメータを有する無線信号にデジタルデータを変換し得る。無線信号は、次いで、アンテナ６１１を介して送信され得る。同様に、データを受信しているとき、アンテナ６１１は、次いで無線フロントエンド回路６１２によってデジタルデータに変換される、無線信号を収集し得る。デジタルデータは、処理回路６２０に渡され得る。他の実施形態において、インターフェースは、異なる構成要素及び／又は異なる組合せの構成要素を備え得る。
【００９５】
処理回路６２０は、マイクロプロセッサ、コントローラ、マイクロコントローラ、ＣＰＵ、ＤＳＰ、ＡＳＩＣ、ＦＰＧＡ、又は任意の他の適切なコンピューティングデバイスのうちの１つ又は複数の組合せ、資源、或いは、単独で又はデバイス可読媒体６３０などの他のＷＤ６１０構成要素と連動して、ＷＤ６１０機能性を提供するように動作可能なハードウェア、ソフトウェア、及び／又は符号化されたロジックの組合せを備え得る。そのような機能性は、本明細書で論じられる様々なワイヤレス特徴又は利益のいずれかの提供を含み得る。たとえば、処理回路６２０は、本明細書で開示される機能性を提供するために、デバイス可読媒体６３０に又は処理回路６２０内のメモリに記憶された命令を実行し得る。
【００９６】
図示されているように、処理回路６２０は、ＲＦトランシーバ回路６２２、ベースバンド処理回路６２４、及びアプリケーション処理回路６２６のうちの１つ又は複数を含む。他の実施形態において、処理回路は、異なる構成要素及び／又は異なる組合せの構成要素を備え得る。ある種の実施形態では、ＷＤ６１０の処理回路６２０は、ＳＯＣを備え得る。一部の実施形態では、ＲＦトランシーバ回路６２２、ベースバンド処理回路６２４、及びアプリケーション処理回路６２６は、別個のチップ又はチップのセット上にあることがある。代替実施形態において、ベースバンド処理回路６２４及びアプリケーション処理回路６２６の一部又はすべては、１つのチップ又はチップのセット内に結合され得、ＲＦトランシーバ回路６２２は、別個のチップ又はチップのセット上にあってもよい。さらに代替実施形態において、ＲＦトランシーバ回路６２２及びベースバンド処理回路６２４の一部又はすべては、同じチップ又はチップのセット上にあることがあり、アプリケーション処理回路６２６は、別個のチップ又はチップのセット上にあることがある。さらに他の代替実施形態において、ＲＦトランシーバ回路６２２、ベースバンド処理回路６２４、及びアプリケーション処理回路６２６の一部又はすべては、同じチップ又はチップのセット内に結合され得る。一部の実施形態では、ＲＦトランシーバ回路６２２は、インターフェース６１４の一部でもよい。ＲＦトランシーバ回路６２２は、処理回路６２０のＲＦ信号を調整し得る。
【００９７】
ある種の実施形態では、ＷＤ又はＵＥによって実行されるものとして本明細書に記載の機能性の一部又はすべては、ある種の実施形態ではコンピュータ可読記憶媒体であることがある、デバイス可読媒体６３０に記憶された命令を実行する処理回路６２０によって提供され得る。代替実施形態において、機能性の一部の又はすべては、ハードワイヤード方式などで、別個の又はディスクリートデバイスの可読記憶媒体に記憶された命令を実行することなしに処理回路６２０によって提供され得る。それらの特定の実施形態のいずれかにおいて、デバイス可読記憶媒体に記憶された命令を実行してもしなくても、処理回路６２０は、記載された機能性を実行するように設定することができる。そのような機能性によって提供される利益は、単独で処理回路６２０に又はＷＤ６１０の他の構成要素に限定されず、全体としてのＷＤ６１０によって、及び／又は一般にエンドユーザ及びワイヤレスネットワークによって、享受される。
【００９８】
処理回路６２０は、ＷＤによって実行されるものとして本明細書に記載された任意の決定、計算、又は類似の動作（たとえば、ある種の取得動作）を実行するように設定され得る。処理回路６２０によって実行されるものとしての、これらの動作は、たとえば、取得された情報を他の情報に変換すること、取得された情報又は変換された情報をＷＤ６１０によって記憶された情報と比較すること、及び／又は取得された情報又は変換された情報に基づいて１つ又は複数の動作を実行することにより、処理回路６２０によって取得された情報を処理すること、並びに前記処理の結果として判定を行うことを含み得る。
【００９９】
デバイス可読媒体６３０は、コンピュータプログラム、ソフトウェア、ロジック、ルール、コード、テーブルなどのうちの１つ又は複数を含むアプリケーション及び／又は処理回路６２０によって実行することが可能な他の命令を記憶するように動作可能になり得る。デバイス可読媒体６３０は、コンピュータメモリ（たとえば、ＲＡＭ又はＲＯＭ）、大容量記憶媒体（たとえば、ハードディスク）、取り外し可能記憶媒体（たとえば、ＣＤ又はＤＶＤ）、及び／又は処理回路６２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路６２０及びデバイス可読媒体６３０は、統合されたものとして考えられ得る。
【０１００】
ユーザインターフェース機器６３２は、人間のユーザがＷＤ６１０と相互作用することを可能にする構成要素を提供し得る。そのような相互作用は、視覚、聴覚、触覚などの多数の形態をとり得る。ユーザインターフェース機器６３２は、ユーザへの出力を生み出すように及びユーザが入力をＷＤ６１０に提供することを可能にするように動作可能になり得る。相互作用のタイプは、ＷＤ６１０にインストールされたユーザインターフェース機器６３２のタイプに応じて変化し得る。たとえば、ＷＤ６１０がスマートフォンである場合には、相互作用はタッチスクリーンを介し得、ＷＤ６１０がスマートメーターである場合には、相互作用は、使用量（たとえば、使用されたガロン数）を提供するスクリーン又は警報音を提供する（たとえば、煙が検知された場合に）スピーカを介し得る。ユーザインターフェース機器６３２は、入力インターフェース、デバイス及び回路と、出力インターフェース、デバイス及び回路とを含み得る。ユーザインターフェース機器６３２は、ＷＤ６１０への情報の入力を可能にするように設定され、処理回路６２０に接続されて処理回路６２０が入力情報を処理することを可能にする。ユーザインターフェース機器６３２は、たとえば、マイクロフォン、近接若しくは他のセンサ、キー／ボタン、タッチディスプレイ、１つ又は複数のカメラ、ユニバーサルシリアルバス（ＵＳＢ）ポート、又は他の入力回路を含み得る。ユーザインターフェース機器６３２はまた、ＷＤ６１０からの情報の出力を可能にするように、及び処理回路６２０がＷＤ６１０から情報を出力することを可能にするように設定される。ユーザインターフェース機器６３２は、たとえば、スピーカ、ディスプレイ、振動回路、ＵＳＢポート、ヘッドフォンインターフェース、又は他の出力回路を含み得る。ユーザインターフェース機器６３２の１つ又は複数の入力及び出力インターフェース、デバイス、及び回路を使用し、ＷＤ６１０は、エンドユーザ及び／又はワイヤレスネットワークと通信することができ、それらが本明細書に記載の機能性から利益を得ることを可能にし得る。
【０１０１】
補助機器６３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器６３４の構成要素の包含及びタイプは、実施形態及び／又はシナリオに応じて異なり得る。
【０１０２】
一部の実施形態では、電源６３６は、バッテリ又はバッテリパックの形でもよい。外部電源（たとえば、電気コンセント）、光電池デバイス又は動力電池など、他のタイプの電源もまた使用され得る。ＷＤ６１０はさらに、本明細書に記載又は示された任意の機能性を実行するために電源６３６からの電力を必要とするＷＤ６１０の様々な部分に電源６３６から電力を届けるための電力回路６３７を備え得る。ある種の実施形態では、電力回路６３７は、電力管理回路を備え得る。電力回路６３７は、付加的に又は別法として外部電源から電力を受信するように動作可能になり得、その場合、ＷＤ６１０は、入力回路又は電気動力ケーブルなどのインターフェースを介して外部電源（電気コンセントなど）に接続可能になり得る。ある種の実施形態では、電力回路６３７はまた、外部電源から電源６３６に電力を届けるように動作可能になり得る。これは、たとえば、電源６３６の充電のためでもよい。電力回路６３７は、任意のフォーマッティング、変換、又は他の修正を電源６３６からの電力に実行して、電力を、電力が供給される先のＷＤ６１０のそれぞれの構成要素に適するようにさせることができる。
【０１０３】
図７は、本明細書に記載の様々な態様によるＵＥの１つの実施形態を示す。本明細書では、ユーザ機器又はＵＥは、関連デバイスを所有及び／又は操作する人間ユーザという意味でのユーザを必ずしも有さないことがある。そうではなく、ＵＥは、人間ユーザへの販売、又は人間ユーザによる操作向けに意図されるが、特定の人間ユーザに関連付けられていないことがある、又は最初は特定の人間ユーザに関連付けられていないことがあるデバイスを表し得る（たとえば、スマートスプリンクラコントローラ）。別法として、ＵＥは、エンドユーザへの販売又はエンドユーザによる操作向けに意図されていないが、ユーザの利益に関連し得る又はユーザの利益のために操作され得るデバイスを表し得る（たとえば、スマート電力メータ）。ＵＥ７２００は、ＮＢ−ＩｏＴ  ＵＥ、ＭＴＣＵＥ、及び／又は拡張ＭＴＣ（ｅＭＴＣ：ｅｎｈａｎｃｅｄ  ＭＴＣ）ＵＥを含む、３ＧＰＰによって識別された任意のＵＥでもよい。図７に示されているような、ＵＥ７００は、３ＧＰＰのＧＳＭ、ＵＭＴＳ、ＬＴＥ、及び／又は５Ｇ標準など、３ＧＰＰによって公表された１つ又は複数の通信標準による通信向けに設定されたＷＤの一例である。前述のように、ＷＤ及びＵＥという用語は、同義で使用され得る。したがって、図７はＵＥであるが、本明細書で論じられる構成要素は、ＷＤに同等に適用可能であり、逆もまた同様である。
【０１０４】
図７では、ＵＥ７００は、入力／出力インターフェース７０５、ＲＦインターフェース７０９、ネットワーク接続インターフェース７１１、ＲＡＭ７１７、ＲＯＭ７１９、及び記憶媒体７２１などを含むメモリ７１５、通信サブシステム７３１、電源７３３、及び／又は任意の他の構成要素、或いはその任意の組合せに動作可能なように連結された、処理回路７０１を含む。記憶媒体７２１は、オペレーティングシステム７２３、アプリケーションプログラム７２５、及びデータ７２７を含む。他の実施形態において、記憶媒体７２１は、他の類似のタイプの情報を含み得る。ある種のＵＥは、図７に示されたすべての構成要素、又はそれらの構成要素のサブセットのみを使用し得る。構成要素間の統合のレベルは、ＵＥによって異なり得る。さらに、ある種のＵＥは、複数のプロセッサ、メモリ、トランシーバ、送信器、受信器などの構成要素の複数のインスタンスを含み得る。
【０１０５】
図７では、処理回路７０１は、コンピュータ命令及びデータを処理するように設定され得る。処理回路７０１は、１つ又は複数のハードウェア実装された状態マシン（たとえば、離散的なロジック、ＦＰＧＡ、ＡＳＩＣなどにおける）など、メモリ内のマシン可読コンピュータプログラムとして記憶されたマシン命令を実行するように動作可能な任意の順次状態マシン、適切なファームウェアと一緒のプログラマブルロジック、適切なソフトウェアと一緒の、マイクロプロセッサ又はＤＳＰなどの、１つ又は複数の記憶されたプログラム、汎用プロセッサ、或いは前記の任意の組合せを実装するように設定され得る。たとえば、処理回路７０１は、２つのＣＰＵを含み得る。データは、コンピュータによる使用に適した形の情報でもよい。
【０１０６】
図示された実施形態では、入力／出力インターフェース７０５は、通信インターフェースを入力デバイス、出力デバイス、或いは、入力及び出力デバイスに提供するように設定され得る。ＵＥ７００は、入力／出力インターフェース７０５を介して出力デバイスを使用するように設定され得る。出力デバイスは、入力デバイスと同じタイプのインターフェースポートを使用し得る。たとえば、ＵＳＢポートは、ＵＥ７００への入力及びＵＥ７００からの出力を提供するために使用され得る。出力デバイスは、スピーカ、サウンドカード、ビデオカード、ディスプレイ、モニタ、プリンタ、アクチュエータ、エミッタ、スマートカード、別の出力デバイス、又はその任意の組合せでもよい。ＵＥ７００は、ユーザがＵＥ７００内に情報をキャプチャすることを可能にするために入力／出力インターフェース７０５を介して入力デバイスを使用するように設定され得る。入力デバイスは、タッチセンサ式又はプレゼンスセンサ式ディスプレイ、カメラ（たとえば、デジタルカメラ、デジタルビデオカメラ、ウェブカメラなど）、マイクロフォン、センサ、マウス、トラックボール、方向性パッド、トラックパッド、スクロールホイール、スマートカードなどを含み得る。プレゼンスセンサ式ディスプレイは、ユーザからの入力を感知するための容量性又は抵抗性タッチセンサを含み得る。センサは、たとえば、加速度計、ジャイロスコープ、傾斜センサ、力センサ、磁力計、光センサ、近接センサ、別の同様のセンサ、又はその任意の組合せでもよい。たとえば、入力デバイスは、加速度計、磁力計、デジタルカメラ、マイクロフォン、及び光センサでもよい。
【０１０７】
図７では、ＲＦインターフェース７０９は、送信器、受信器、及びアンテナなどのＲＦ構成要素に通信インターフェースを提供するように設定され得る。ネットワーク接続インターフェース７１１は、通信インターフェースをネットワーク７４３Ａに提供するように設定され得る。ネットワーク７４３Ａは、ＬＡＮ、ＷＡＮ、コンピュータネットワーク、ワイヤレスネットワーク、電気通信ネットワーク、別の同様のネットワーク又はその任意の組合せなど、ワイヤード及び／又はワイヤレスネットワークを包含し得る。たとえば、ネットワーク７４３Ａは、Ｗｉ−Ｆｉネットワークを備え得る。ネットワーク接続インターフェース７１１は、１つまたは複数の通信プロトコル、たとえば、イーサネット、送信制御プロトコル（ＴＣＰ：Ｔｒａｎｓｍｉｓｓｉｏｎ  Ｃｏｎｔｒｏｌ  Ｐｒｏｔｏｃｏｌ）／ＩＰ、同期型光ネットワーキング（ＳＯＮＥＴ：Ｓｙｎｃｈｒｏｎｏｕｓ  Ｏｐｔｉｃａｌ  Ｎｅｔｗｏｒｋｉｎｇ）、非同期転送モード（ＡＴＭ：Ａｓｙｎｃｈｒｏｎｏｕｓ  Ｔｒａｎｓｆｅｒ  Ｍｏｄｅ）など、に従って通信ネットワークを介して１つまたは複数の他のデバイスと通信するために使用される受信器および送信器インターフェースを含むように設定され得る。ネットワーク接続インターフェース７１１は、通信ネットワークリンク（たとえば、光、電気など）に適した受信器及び送信器機能性を実装し得る。送信器及び受信器機能は、回路構成要素、ソフトウェア又はファームウェアを共用し得、或いは別法として別個に実装され得る。
【０１０８】
ＲＡＭ７１７は、オペレーティングシステム、アプリケーションプログラム、及びデバイスドライバなどのソフトウェアプログラムの実行中にデータ又はコンピュータ命令の記憶又はキャッシュを行うために処理回路７０１にバス７０２を介してインターフェースするように設定され得る。ＲＯＭ７１９は、コンピュータ命令又はデータを処理回路７０１に提供するように設定され得る。たとえば、ＲＯＭ７１９は、基本入力及び出力（Ｉ／Ｏ）、スタートアップ、又は不揮発性メモリに記憶されたキーボードからのキーストロークの受信などの基本システム機能のための不変の低レベルシステムコード又はデータを記憶するように設定され得る。記憶媒体７２１は、ＲＡＭ、ＲＯＭ、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、磁気ディスク、光ディスク、フロッピディスク、ハードディスク、取り外し可能カートリッジ、又はフラッシュドライブなどのメモリを含むように設定され得る。１つの例では、記憶媒体７２１は、オペレーティングシステム７２３、ウェブブラウザアプリケーションなどのアプリケーションプログラム７２５、ウィジェット若しくはガジェットエンジン又は別のアプリケーション、及びデータファイル７２７を含むように設定され得る。記憶媒体７２１は、ＵＥ７００によって使用するために、バラエティ豊かな様々なオペレーティングシステムのいずれか又はオペレーティングシステムの組合せを記憶し得る。
【０１０９】
記憶媒体７２１は、ＲＡＩＤ（Ｒｅｄｕｎｄａｎｔ  Ａｒｒａｙ  ｏｆ  Ｉｎｄｅｐｅｎｄｅｎｔ  Ｄｉｓｋ）、フロッピディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ：Ｈｉｇｈ−Ｄｅｎｓｉｔｙ  Ｄｉｇｉｔａｌ  Ｖｅｒｓａｔｉｌｅ  Ｄｉｓｃ）光ディスクドライブ、内部ハードディスクドライブ、ブルーレイ光ディスクドライブ、ホログラフィックデジタルデータストレージ（ＨＤＤＳ：Ｈｏｌｏｇｒａｐｈｉｃ  Ｄｉｇｉｔａｌ  Ｄａｔａ  Ｓｔｏｒａｇｅ）光ディスクドライブ、外部ミニデュアルインラインメモリモジュール（ＤＩＭＭ：ｍｉｎｉ−Ｄｕａｌ  Ｉｎ−Ｌｉｎｅ  Ｍｅｍｏｒｙ  Ｍｏｄｕｌｅ）、同期型ダイナミックＲＡＭ（ＳＤＲＡＭ：Ｓｙｎｃｈｒｏｎｏｕｓ  Ｄｙｎａｍｉｃ  ＲＡＭ）、外部マイクロＤＩＭＭ  ＳＤＲＡＭ、加入者識別モジュール（ＳＩＭ：Ｓｕｂｓｃｒｉｂｅｒ  Ｉｄｅｎｔｉｔｙ  Ｍｏｄｕｌｅ）若しくは取り外し可能ユーザ識別（ＲＵＩＭ：Ｒｅｍｏｖａｂｌｅ  Ｕｓｅｒ  Ｉｄｅｎｔｉｔｙ）モジュールなどのスマートカードメモリ、他のメモリ、或いはその任意の組合せなどのいくつかの物理ドライブユニットを含むように設定され得る。記憶媒体７２１は、ＵＥ７００が、一時的又は非一時的メモリ媒体に記憶された、コンピュータで実行可能な命令、アプリケーションプログラムなどにアクセスすること、データをオフロードすること、或いはデータをアップロードすることを可能にし得る。通信システムを使用するものなどの製造品は、デバイス可読媒体を備え得る記憶媒体７２１において有形に実施され得る。
【０１１０】
図７において、処理回路７０１は、通信サブシステム７３１を使用するネットワーク７４３Ｂと通信するように設定され得る。ネットワーク７４３Ａ及びネットワーク７４３Ｂは、１つ又は複数の同じネットワーク或いは１つ又は複数の異なるネットワークでもよい。通信サブシステム７３１は、ネットワーク７４３Ｂと通信するために使用される１つ又は複数のトランシーバを含むように設定され得る。たとえば、通信サブシステム７３１は、１つまたは複数の通信プロトコル、たとえば、ＩＥＥＥ８０２．７、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）、広帯域コード分割多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、ＧＳＭ、ＬＴＥ、ユニバーサル地上無線アクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、ＷｉＭａｘなど、に従って無線アクセスネットワーク（ＲＡＮ：Ｒａｄｉｏ  Ａｃｃｅｓｓ  Ｎｅｔｗｏｒｋ）の別のＷＤ、ＵＥ、または基地局などの無線通信の能力を有する別のデバイスの１つまたは複数のリモートトランシーバと通信するために使用される１つまたは複数のトランシーバを含むように設定され得る。各トランシーバは、それぞれ、ＲＡＮリンクに適した送信器又は受信器機能性（たとえば、周波数割当てなど）を実装するために送信器７３３及び／又は受信器７３５を含み得る。さらに、各トランシーバの送信器７３３及び受信器７３５は、回路構成要素、ソフトウェア又はファームウェアを共用し得る、或いは別法として別個に実装され得る。
【０１１１】
図示された実施形態において、通信サブシステム７３１の通信機能は、データ通信、音声通信、マルチメディア通信、ブルートゥースなどの短距離通信、近距離無線通信、位置を判定するためのグローバルポジショニングシステム（ＧＰＳ）の使用などの位置ベースの通信、別の同様の通信機能、或いはその任意の組合せを含み得る。たとえば、通信サブシステム７３１は、セルラ通信、Ｗｉ−Ｆｉ通信、ブルートゥース通信、及びＧＰＳ通信を含み得る。ネットワーク７４３ｂは、ＬＡＮ、ＷＡＮ、コンピュータネットワーク、ワイヤレスネットワーク、電気通信ネットワーク、別の同様のネットワーク又はその任意の組合せなど、ワイヤード及び／又はワイヤレスネットワークを包含し得る。たとえば、ネットワーク７４３Ｂは、セルラネットワーク、Ｗｉ−Ｆｉネットワーク、及び／又は近距離無線ネットワークでもよい。電源７１３は、交流（ＡＣ）又は直流（ＤＣ）電力をＵＥ７００の構成要素に提供するように設定され得る。
【０１１２】
本明細書に記載の特徴、利益及び／又は機能は、ＵＥ７００の構成要素のうちの１つにおいて実装され得る、又はＵＥ７００の複数の構成要素を横断して分割され得る。さらに、本明細書に記載の特徴、利益、及び／又は機能は、ハードウェア、ソフトウェア又はファームウェアの任意の組合せにおいて実装され得る。１つの例では、通信サブシステム７３１は、本明細書に記載の構成要素のいずれかを含むように設定され得る。さらに、処理回路７０１は、バス７０２を介してそのような構成要素のいずれかと通信するように設定され得る。別の例では、そのような構成要素のいずれかは、処理回路７０１によって実行されたときに本明細書に記載の対応する機能を実行するメモリに記憶されたプログラム命令によって表され得る。別の例では、そのような構成要素のうちのいずれかの構成要素の機能性は、処理回路７０１と通信サブシステム７３１との間で分割され得る。別の例では、そのような構成要素のうちのいずれかの構成要素の非計算集約的機能は、ソフトウェア又はファームウェアにおいて実装され得、計算集約的機能は、ハードウェアにおいて実装され得る。
【０１１３】
図８は、一部の実施形態によって実装される機能が仮想化され得る仮想化環境８００を示す概略的ブロック図である。これに関連して、仮想化は、ハードウェアプラットフォーム、記憶デバイス及びネットワーク資源の仮想化を含み得る装置又はデバイスの仮想バージョンの作成を意味する。本明細書では、仮想化は、ノード（たとえば、仮想化された基地局又は仮想化された無線アクセスノード）に或いはデバイス（たとえば、ＵＥ、ワイヤレスデバイス又は任意の他のタイプの通信デバイス）又はその構成要素に適用することができ、機能性の少なくとも一部分が１つ又は複数の仮想構成要素として実装される（たとえば、１つ又は複数のアプリケーション、構成要素、機能、仮想マシン又は１つ又は複数のネットワーク内の１つ又は複数の物理処理ノードで実行するコンテナを介して）実装形態に関する。
【０１１４】
一部の実施形態では、本明細書に記載の機能の一部又はすべては、ハードウェアノード８３０のうちの１つ又は複数によってホストされる１つ又は複数の仮想環境８００において実装された１つ又は複数の仮想マシンによって実行される仮想構成要素として実装され得る。さらに、仮想ノードが無線アクセスノードではない又は無線接続性（たとえば、コアネットワークノード）を必要としない実施形態では、そのとき、ネットワークノードは、完全に仮想化され得る。
【０１１５】
本機能は、本明細書で開示される実施形態のうちのいくつかの実施形態の特徴、機能、及び／又は利益のうちのいくつかを実装するように動作可能な１つ又は複数のアプリケーション８２０（ソフトウェアインスタンス、仮想アプライアンス、ネットワーク機能、仮想ノード、仮想ネットワーク機能などと別称され得る）によって実装され得る。アプリケーション８２０は、処理回路８６０及びメモリ８９０を備えるハードウェア８３０を提供する仮想化環境８００において実行される。メモリ８９０は、処理回路８６０によって実行可能な命令８９５を含み、それにより、アプリケーション８２０は、本明細書で開示される特徴、利益、及び／又は機能のうちの１つ又は複数を提供するように動作可能である。
【０１１６】
仮想化環境８００は、民生（ＣＯＴＳ：Ｃｏｍｍｅｒｃｉａｌ  Ｏｆｆ−ｔｈｅ−Ｓｈｅｌｆ）プロセッサ、ＡＳＩＣ、或いはデジタル若しくはアナログハードウェア構成要素又は専用プロセッサを含む任意の他のタイプの処理回路でもよい、１セットの１つ又は複数のプロセッサ又は処理回路８６０を備えた、汎用又は専用ネットワークハードウェアデバイス８３０を備える。各ハードウェアデバイスは、命令８９５又は処理回路８６０によって実行されるソフトウェアを一時的に記憶するための非永続メモリでもよいメモリ８９０−１を備え得る。各ハードウェアデバイスは、物理ネットワークインターフェース８８０を含む、ネットワークインターフェースカードとしても知られる、１つ又は複数のネットワークインターフェースコントローラ（ＮＩＣ：Ｎｅｔｗｏｒｋ  Ｉｎｔｅｒｆａｃｅ  Ｃｏｎｔｒｏｌｌｅｒ）８７０を備え得る。各ハードウェアデバイスはまた、ソフトウェア８９５がそこに記憶された非一時的、永続的、マシン可読記憶媒体８９０−２、及び／又は処理回路８６０によって実行可能な命令を含み得る。ソフトウェア８９５は、１つ又は複数の仮想化レイヤ８５０（ハイパーバイザとも呼ばれる）のインスタンスを作成するためのソフトウェア、仮想マシン８４０を実行するためのソフトウェア、並びに本明細書に記載のいくつかの実施形態に関連して記載された機能、特徴及び／又は利益をそれが実行することを可能にするソフトウェアを含む、任意のタイプのソフトウェアを含み得る。
【０１１７】
仮想マシン８４０は、仮想処理、仮想メモリ、仮想ネットワーキング又はインターフェース及び仮想ストレージを備え、対応する仮想化レイヤ８５０又はハイパーバイザによって実行され得る。仮想アプライアンス８２０のインスタンスの異なる実施形態は、仮想マシン８４０のうちの１つ又は複数で実装され得、実装形態は、異なる形で行われ得る。
【０１１８】
動作中、処理回路８６０は、仮想マシンモニタ（ＶＭＭ：Ｖｉｒｔｕａｌ  Ｍａｃｈｉｎｅ  Ｍｏｎｉｔｏｒ）と時に称されることがあるハイパーバイザ又は仮想化レイヤ８５０のインスタンスを作成するために、ソフトウェア８９５を実行する。仮想化レイヤ８５０は、仮想マシン８４０にネットワーキングハードウェアのように見える仮想オペレーティングプラットフォームを示し得る。
【０１１９】
図８に示されるように、ハードウェア８３０は、一般又は特定の構成要素を有するスタンドアロンネットワークノードでもよい。ハードウェア８３０は、アンテナ８２２５を備え得、仮想化を介していくつかの機能を実装し得る。別法として、ハードウェア８３０は、多数のハードウェアノードが連携する及び、とりわけアプリケーション８２０のライフサイクル管理を監督する、管理及び編成（ＭＡＮＯ：Ｍａｎａｇｅｍｅｎｔ  ａｎｄ  Ｏｒｃｈｅｓｔｒａｔｉｏｎ）８１００を介して管理される、ハードウェアのより大きなクラスタ（たとえば、データセンタ又はＣＰＥ内など）の一部でもよい。
【０１２０】
ハードウェアの仮想化は、いくつかの文脈では、ネットワーク機能仮想化（ＮＦＶ：Ｎｅｔｗｏｒｋ  Ｆｕｎｃｔｉｏｎ  Ｖｉｒｔｕａｌｉｚａｔｉｏｎ）と称される。ＮＦＶは、データセンタ及びＣＰＥ内に置かれ得る、業界標準高容量サーバハードウェア、物理スイッチ、及び物理ストレージに多数のネットワーク機器タイプを統合するために使用され得る。
【０１２１】
ＮＦＶとの関連で、仮想マシン８４０は、プログラムが物理的な非仮想化マシンで実行していたかのようにプログラムを実行する物理マシンのソフトウェア実装形態でもよい。それぞれの仮想マシン８４０、及びその仮想マシンを実行するハードウェア８３０のその部分は、それがその仮想マシン専用のハードウェア及び／又は他の仮想マシン８４０とその仮想マシンによって共用されるハードウェアであれば、別個の仮想ネットワーク要素（ＶＮＥ）を形成する。
【０１２２】
さらにＮＦＶに関連して、仮想ネットワーク機能（ＶＮＦ：Ｖｉｒｔｕａｌ  Ｎｅｔｗｏｒｋ  Ｆｕｎｃｔｉｏｎ）は、ハードウェアネットワーキングインフラストラクチャ８３０の最上部の１つ又は複数の仮想マシン８４０において実行する特定のネットワーク機能を処理する責任を有し、図８のアプリケーション８２０に対応する。
【０１２３】
一部の実施形態では、１つ又は複数の送信器８２２０及び１つ又は複数の受信器８２１０をそれぞれ含む１つ又は複数の無線ユニット８２００は、１つ又は複数のアンテナ８２２５に連結され得る。無線ユニット８２００は、１つ又は複数の適切なネットワークインターフェースを介してハードウェアノード８３０と直接通信することができ、無線アクセスノード又は基地局などの無線能力を有する仮想ノードを提供するために仮想構成要素と組み合わせて使用され得る。
【０１２４】
一部の実施形態では、一部のシグナリングは、別法としてハードウェアノード８３０と無線ユニット８２００との間の通信のために使用され得る制御システム８２３０の使用の影響を受け得る。
【０１２５】
図９を参照すると、一実施形態によれば、通信システムは、無線アクセスネットワークなどのアクセスネットワーク９１１及びコアネットワーク９１４を備える、３ＧＰＰタイプのセルラネットワークなどの電気通信ネットワーク９１０を含む。アクセスネットワーク９１１は、それぞれが対応するカバレッジエリア９１３Ａ、９１３Ｂ、９１３Ｃを規定する、ノードＢ、ｅＮＢ、ｇＮＢ又は他のタイプのワイヤレスアクセスポイントなどの複数の基地局９１２ａ、９１２ｂ、９１２ｃを備える。各基地局９１２Ａ、９１２Ｂ、９１２Ｃは、ワイヤード又はワイヤレス接続９１５を介してコアネットワーク９１４に接続可能である。カバレッジエリア９１３Ｃ内に置かれた第１のＵＥ９９１は、対応する基地局９１２Ｃにワイヤレスで接続される又は対応する基地局９１２Ｃによってページングされるように設定され得る。カバレッジエリア９１３ａ内の第２のＵＥ９９２は、対応する基地局９１２Ａにワイヤレスに接続可能である。複数のＵＥ９９１、９９２が本例では図示されているが、開示される実施形態は、唯一のＵＥがカバレッジエリア内にある又は唯一のＵＥが対応する基地局９１２に接続している状況に同等に適用可能である。
【０１２６】
電気通信ネットワーク９１０自体は、ホストコンピュータ９３０に接続され、ホストコンピュータ９３０は、スタンドアロンサーバ、クラウド実装されたサーバ、分散型サーバのハードウェア及び／又はソフトウェアにおいて或いはサーバファーム内の処理資源として実施され得る。ホストコンピュータ９３０は、サービスプロバイダの所有権又は制御の下にあってもよく、或いはサービスプロバイダによって又はサービスプロバイダのために動作させられ得る。電気通信ネットワーク９１０とホストコンピュータ９３０との接続９２１及び９２２は、コアネットワーク９１４からホストコンピュータ９３０に直接延びてもよく、或いはオプションの中間ネットワーク９２０を介してもよい。中間ネットワーク９２０は、パブリックネットワーク、プライベートネットワーク又はホスト型ネットワークのうちの１つ、又はそれらのうちの２つ以上の組合せでもよく、中間ネットワーク９２０は、もしあるなら、バックボーンネットワーク又はインターネットでもよく、具体的には、中間ネットワーク９２０は、２つ以上のサブネットワーク（図示せず）を備え得る。
【０１２７】
全体としての図９の通信システムは、接続されたＵＥ９９１、９９２及びホストコンピュータ９３０の間の接続性を有効にする。接続性は、オーバーザトップ（ＯＴＴ：Ｏｖｅｒ−ｔｈｅ−Ｔｏｐ）接続９５０として説明され得る。ホストコンピュータ９３０及び接続されたＵＥ９９１、９９２は、媒介としてアクセスネットワーク９１１、コアネットワーク９１４、任意の中間ネットワーク９２０及び可能なさらなるインフラストラクチャ（図示せず）を使用し、ＯＴＴ接続９５０を介してデータ及び／又はシグナリングを通信するように設定される。ＯＴＴ接続９５０は、ＯＴＴ接続９５０が通過する参加通信デバイスはアップリンク及びダウンリンク通信のルーティングを認識しないという意味で、透過的になり得る。たとえば、基地局９１２は、接続されたＵＥ９９１に転送される（たとえば、ハンドオーバされる）ことになるホストコンピュータ９３０に由来するデータとの着信ダウンリンク通信の過去のルーティングに関して知らされないことがある、又は知らされる必要はない。同様に、基地局９１２は、ＵＥ９９１からホストコンピュータ９３０に向けて始められる外向きのアップリンク通信の未来のルーティングを認識する必要はない。
【０１２８】
前段落で論じられたＵＥ、基地局及びホストコンピュータの一実施形態による例示的実装形態について、図１０を参照して、ここで説明する。通信システム１０００では、ホストコンピュータ１０１０は、通信システム１０００の異なる通信デバイスのインターフェースとのワイヤード又はワイヤレス接続をセットアップ及び維持するように設定された通信インターフェース１０１６を含むハードウェア１０１５を備える。ホストコンピュータ１０１０はさらに、ストレージ及び／又は処理能力を有し得る処理回路１０１８を備える。具体的には、処理回路１０１８は、１つ又は複数のプログラマブルプロセッサ、ＡＳＩＣ、ＦＰＧＡ、或いは命令を実行するように適合されたこれらの組合せ（図示せず）を備え得る。ホストコンピュータ１０１０はさらに、ホストコンピュータ１０１０に記憶された若しくはこれよってアクセス可能な及び処理回路１０１８によって実行可能な、ソフトウェア１０１１を備える。ソフトウェア１０１１は、ホストアプリケーション１０１２を含む。ホストアプリケーション１０１２は、ＵＥ１０３０及びホストコンピュータ１０１０で終了するＯＴＴ接続１０５０を介して接続するＵＥ１０３０など、リモートユーザにサービスを提供するように動作可能になり得る。サービスのリモートユーザへの提供において、ホストアプリケーション１０１２は、ＯＴＴ接続１０５０を使用して送信されるユーザデータを提供し得る。
【０１２９】
通信システム１０００はさらに、電気通信システムにおいて提供される並びにホストコンピュータ１０１０と及びＵＥ１０３０とそれが通信することを可能にするハードウェア１０２５を備える、基地局１０２０を含む。ハードウェア１０２５は、通信システム１０００の異なる通信デバイスのインターフェースとのワイヤード又はワイヤレス接続をセットアップ及び維持するための通信インターフェース１０２６、並びに基地局１０２０によってサービスされるカバレッジエリア（図１０には図示せず）内に置かれたＵＥ１０３０とのワイヤレス接続１０７０を少なくともセットアップ及び維持するための無線インターフェース１０２７を含み得る。通信インターフェース１０２６は、ホストコンピュータ１０１０への接続１０６０を円滑にするように設定され得る。接続１０６０は直接でもよく、或いは、接続１０６０は、電気通信システムのコアネットワーク（図１０に示さず）を通過及び／又は電気通信システム外部の１つ又は複数の中間ネットワークを通過してもよい。示された実施形態では、基地局１０２０のハードウェア１０２５はさらに、１つ又は複数のプログラマブルプロセッサ、ＡＳＩＣ、ＦＰＧＡ、又は命令を実行するように適合されたこれらの組合せ（図示せず）を備え得る、処理回路１０２８を含む。基地局１０２０はさらに、内部に記憶された又は外部接続を介してアクセス可能なソフトウェア１０２１を有する。
【０１３０】
通信システム１０００はさらに、すでに参照されたＵＥ１０３０を含む。それのハードウェア１０３５は、ＵＥ１０３０が現在位置するカバレッジエリアにサービスする基地局とのワイヤレス接続１０７０をセットアップ及び維持するように設定された無線インターフェース１０３７を含み得る。ＵＥ１０３０のハードウェア１０３５はさらに、１つ又は複数のプログラマブルプロセッサ、ＡＳＩＣ、ＦＰＧＡ、又は命令を実行するように適合されたこれらの組合せ（図示せず）を備え得る、処理回路１０３８を含む。ＵＥ１０３０はさらに、ＵＥ１０３０に記憶された若しくはこれによってアクセス可能な及び処理回路１０３８によって実行可能なソフトウェア１０３１を備える。ソフトウェア１０３１は、クライアントアプリケーション１０３２を含む。クライアントアプリケーション１０３２は、ホストコンピュータ１０１０のサポートを有して、ＵＥ１０３０を介して人間又は非人間ユーザにサービスを提供するように動作可能になり得る。ホストコンピュータ１０１０では、実行中のホストアプリケーション１０１２は、ＵＥ１０３０及びホストコンピュータ１０１０で終了するＯＴＴ接続１０５０を介して実行中のクライアントアプリケーション１０３２と通信し得る。ユーザへのサービス提供において、クライアントアプリケーション１０３２は、ホストアプリケーション１０１２から要求データを受信し、要求データに応答してユーザデータを提供することができる。ＯＴＴ接続１０５０は、要求データ及びユーザデータの両方を転送することができる。クライアントアプリケーション１０３２は、ユーザと相互作用して、それが提供するユーザデータを生成することができる。
【０１３１】
図１０に示されたホストコンピュータ１０１０と、基地局１０２０と、ＵＥ１０３０とは、それぞれ、図９のホストコンピュータ９３０と、基地局９１２Ａ、９１２Ｂ、９１２Ｃのうちの１つと、ＵＥ９９１、９９２のうちの１つと類似する又は同一であってもよいことに留意されたい。すなわち、これらのエンティティの内部の動きは、図１０に示されるようでもよく、独立して、周囲のネットワークトポロジは、図９のそれでもよい。
【０１３２】
図１０において、ＯＴＴ接続１０５０は、媒介デバイスの明示的参照及びこれらのデバイスを介するメッセージの正確なルーティングなしに、基地局１０２０を介するホストコンピュータ１０１０とＵＥ１０３０との通信を説明するために抽象的に描かれてある。ネットワークインフラストラクチャは、ルーティングを判定することができ、それは、ＵＥ１０３０から若しくはサービスプロバイダオペレーティングホストコンピュータ１０１０から又はその両方から隠すように設定され得る。ＯＴＴ接続１０５０がアクティブである間、ネットワークインフラストラクチャは、それがルーティングを動的に変更する判定（たとえば、ネットワークの負荷バランシング検討又は再設定に基づく）をさらに行うことができる。
【０１３３】
ＵＥ１０３０と基地局１０２０との間のワイヤレス接続１０７０は、本開示を通じて説明される実施形態の教示に従う。様々な実施形態のうちの１つ又は複数は、ワイヤレス接続１０７０が最後のセグメントを形成する、ＯＴＴ接続１０５０を使用してＵＥ１０３０に提供されるＯＴＴサービスのパフォーマンスを改善する。
【０１３４】
測定手続きは、１つ又は複数の実施形態が改善するモニタリングデータレート、レイテンシ及び他の要因を目的として、提供され得る。測定結果の変動に応答して、ホストコンピュータ１０１０とＵＥ１０３０との間のＯＴＴ接続１０５０を再設定するためのオプションのネットワーク機能性がさらに存在し得る。測定手続き及び／又はＯＴＴ接続１０５０を再設定するためのネットワーク機能性は、ホストコンピュータ１０１０のソフトウェア１０１１及びハードウェア１０１５において、又はＵＥ１０３０のソフトウェア１０３１及びハードウェア１０３５において、又はその両方で実装され得る。実施形態において、センサ（図示せず）は、ＯＴＴ接続１０５０が通過する通信デバイスにおいて又はそのような通信デバイスに関連して配備され得、センサは、上記で例示されたモニタされる数量の値を供給すること、或いはそこからソフトウェア１０１１、１０３１がモニタされる数量を計算又は推定し得る他の物理数量の値を供給することによって、測定手続きに参加し得る。ＯＴＴ接続１０５０の再設定は、メッセージフォーマット、再送信設定、好ましいルーティングなどを含み得、再設定は基地局１０２０に影響を及ぼす必要はなく、そして、それは基地局１０２０に知られてなくても又は感知できなくてもよい。そのような手続き及び機能性は、当分野では知られており、実施されることがある。ある種の実施形態では、測定は、スループット、伝搬時間、レイテンシなどのホストコンピュータ１０１０の測定を円滑にする占有ＵＥシグナリングを含み得る。ソフトウェア１０１１及び１０３１が、ＯＴＴ接続１０５０を使用し、それが伝搬時間、エラーなどをモニタする間に、メッセージ、具体的には空の又は「ダミー」メッセージ、を送信させるので、測定は実装され得る。
【０１３５】
図１１は、１つの実施形態による、通信システムにおいて実装される方法を示す流れ図である。通信システムは、図９及び１０を参照して説明されるものでもよいホストコンピュータ、基地局及びＵＥを含む。本開示を簡単にするために、図１１のみの図面の参照が、このセクションに含まれることになる。ステップ１１１０において、ホストコンピュータはユーザデータを提供する。ステップ１１１０のサブステップ１１１１（オプションでもよい）では、ホストコンピュータは、ホストアプリケーションを実行することによって、ユーザデータを提供する。ステップ１１２０では、ホストコンピュータは、ユーザデータをＵＥに運ぶ送信を開始する。ステップ１１３０（オプションでもよい）では、基地局が、本開示を通して説明される実施形態の教示に従って、ホストコンピュータが開始した送信において運ばれたユーザデータをＵＥに送信する。ステップ１１４０（やはりオプションでもよい）で、ＵＥは、ホストコンピュータによって実行されるホストアプリケーションに関連するクライアントアプリケーションを実行する。
【０１３６】
図１２は、１つの実施形態による、通信システムにおいて実装される方法を示す流れ図である。通信システムは、図７及び８を参照して説明されるものでもよいホストコンピュータ、基地局及びＵＥを含む。本開示を簡単にするために、図１２の図面の参照のみが、このセクションに含まれることになる。本方法のステップ１２１０において、ホストコンピュータはユーザデータを提供する。オプションのサブステップ（図示せず）において、ホストコンピュータは、ホストアプリケーションを実行することによって、ユーザデータを提供する。ステップ１２２０で、ホストコンピュータは、ユーザデータをＵＥに運ぶ送信を開始する。送信は、本開示を通して説明される実施形態の教示によれば、基地局を通り得る。ステップ１２３０（オプションでもよい）で、ＵＥは、その送信で運ばれたユーザデータを受信する。
【０１３７】
図１３は、１つの実施形態による、通信システムにおいて実装される方法を示す流れ図である。通信システムは、図９及び１０を参照して説明されるものでもよいホストコンピュータ、基地局及びＵＥを含む。本開示を簡単にするために、図１３の図面の参照のみが、このセクションに含まれることになる。ステップ１３１０（オプションでもよい）で、ＵＥは、ホストコンピュータによって提供された入力データを受信する。追加で又は別法として、ステップ１３２０で、ＵＥはユーザデータを提供する。ステップ１３２０のサブステップ１３２１（オプションでもよい）で、ＵＥは、クライアントアプリケーションを実行することによって、ユーザデータを提供する。ステップ１３１０のサブステップ１３１１（オプションでもよい）で、ＵＥは、ホストコンピュータによって提供される受信された入力データに反応してユーザデータを提供するクライアントアプリケーションを実行する。ユーザデータの提供において、実行されるクライアントアプリケーションは、ユーザから受信されたユーザ入力をさらに考慮し得る。ユーザデータが提供された具体的方式にかかわらず、ＵＥは、サブステップ１３３０（オプションでもよい）で、ユーザデータのホストコンピュータへの送信を開始する。本方法のステップ１３４０において、ホストコンピュータは、本開示を通して説明される実施形態の教示によれば、ＵＥから送信されたユーザデータを受信する。
【０１３８】
図１４は、１つの実施形態による、通信システムにおいて実装された方法を示す流れ図である。通信システムは、図９及び１０を参照して説明されるものでもよいホストコンピュータ、基地局及びＵＥを含む。本開示を簡単にするために、図１４の図面の参照のみが、このセクションに含まれることになる。ステップ１４１０（オプションでもよい）において、本開示を通して説明される実施形態の教示に従って、基地局は、ユーザデータをＵＥから受信する。ステップ１４２０（オプションでもよい）で、基地局は、受信されたユーザデータのホストコンピュータへの送信を開始する。ステップ１４３０（オプションでもよい）で、ホストコンピュータは、基地局によって開始された送信で運ばれたユーザデータを受信する。
【０１３９】
図１５は、特定の実施形態による方法を示し、本方法は、本明細書で開示されるような（たとえば、前述の実施形態のいずれかによる）ＴＢＳ判定を実行すること（ステップ１５０２）と、判定されたＴＢＳを使用する送信を実行すること（ステップ１５０４）とを含む。任意選択で、ステップ１５０４は、前述のようにフィラービットを送信するのを控えることを含む。図１５の方法は、たとえば、ネットワークノード、たとえばネットワークノード６６０のうちの１つなど、または無線デバイス、たとえば無線デバイス６１０のうちの１つなど、によって実行され得る。
【０１４０】
図１６は、無線ネットワーク内の装置１６００（たとえば、図６に示された無線ネットワーク）の概略的ブロック図を示す。本装置は、無線デバイスまたはネットワークノード（たとえば、図６に示された無線デバイス６１０またはネットワークノード６６０）において実装され得る。装置１６００は、図１５を参照して説明された例示的方法、および、場合により、本明細書で開示される任意の他のプロセスまたは方法を実施するように動作可能である。図１５の方法は必ずしも単に装置１６００によって実施されないこともまた理解されたい。本方法の少なくともいくつかの動作は、１つまたは複数の他のエンティティによって実行され得る。
【０１４１】
仮想装置１６００は、１つまたは複数のマイクロプロセッサまたはマイクロコントローラを含み得る、処理回路、ならびに、ＤＳＰ、専用デジタルロジックなどを含み得る、他のデジタルハードウェアを含み得る。処理回路は、１つまたはいくつかのタイプのメモリ、たとえば、ＲＯＭ、ＲＡＭ、キャッシュメモリ、フラッシュメモリデバイス、光学式記憶装置など、を含み得るメモリに記憶されたプログラムコードを実行するように設定され得る。いくつかの実施形態では、メモリに記憶されたプログラムコードは、１つ又は複数の電気通信及び／又はデータ通信プロトコルを実行するためのプログラム命令並びに本明細書に記載の技法のうちの１つ又は複数を実行するための命令を含む。いくつかの実装形態において、処理回路は、第１の実行ユニット１６０２、第２の実行ユニット１６０４、及び装置１６００の任意の他の適切なユニットに本開示の１つ又は複数の実施形態による対応する機能を実行させるために使用され得る。
【０１４２】
図１６に示すように、装置１６００は、第１の実行ユニット１６０２および第２の実行ユニット１６０４を含む。第１の実行ユニット１６０２は、本明細書に記載の任意の実施形態に従ってＴＢＳ判定を実行するように設定される。第２の実行ユニット１６０４は、判定されたＴＢＳを使用する送信を実行するように設定される。
【０１４３】
ユニットという用語は、電子工学、電気デバイス及び／又は電子デバイスの分野における従来の意味を有し得、たとえば、本明細書に記載されているものなどのような、電気及び／又は電子回路、デバイス、モジュール、プロセッサ、メモリ、ロジックソリッドステート及び／又はディスクリートデバイス、それぞれのタスク、手続き、計算、出力、及び／又は表示機能を実行するためのコンピュータプログラム又は命令などを含み得る。
【０１４４】
いくつかの例示的実施形態は、以下のとおりである。
【０１４５】
実施形態１：無線デバイスによって実行される方法、本方法は以下を含む：ＴＢＳ判定手続きを実行して（たとえば、データチャネル）送信のＴＢＳを判定することと、そのＴＢＳを使用するデータチャネル送信を実行すること。
【０１４６】
実施形態２：ＴＢＳ判定手続きを実行することは、ＴＢＳの少なくとも１つの第１の範囲について、サイズの異なるコードブロックを生じさせることができる公式を使用する送信のためのＴＢＳを判定することを含む、実施形態１の方法。
【０１４７】
実施形態３：ＴＢＳ判定手続きを実行することが、ＴＢＳの少なくとも第１の１つの範囲について、サイズの異なるコードブックを生じさせる任意のＴＢＳに対処するためにフィラービットを使用することをさらに含む、実施形態２の方法。
【０１４８】
実施形態４：ＴＢＳ判定手続きを実行することが、ＴＢＳの少なくとも１つの第２の範囲について、使用されるＴＢＳのうちのいくつかのすべてが、コードブロックセグメント化のためにどのベースグラフが使用されるかにかかわらず、同サイズのコードブロックを確保するように設計された公式を使用する送信のためのＴＢＳを判定することを含む、実施形態１から３のいずれか１つの方法。
【０１４９】
実施形態５：ＴＢＳ判定手続きを実行することが、ＴＢＳの少なくとも１つの第１の範囲について、以下の条件を満たすＴＢＳ０以上の最小整数として送信のためのＴＢＳを判定することを含む、実施形態１の方法：ｋは８の倍数であり、そして、
2020537384.tif 000045
【０１５０】
実施形態６：ＴＢＳ判定手続きを実行することが、ＴＢＳの少なくとも１つの第１の範囲について、以下の条件を満たすＴＢＳ０以上の最小整数として送信のためのＴＢＳを判定することを含む、実施形態１の方法：ｋは８の倍数であり、
2020537384.tif 000046
および
2020537384.tif 000047
【０１５１】
実施形態７：ＴＢＳ判定手続きを実行することが、ＴＢＳの少なくとも１つの第１の範囲について、最小絶対差｜ｋ−ＴＢＳ０｜からＴＢＳ０を有する条件（ａ）および（ｂ）を満たす整数ｋとして送信のためのＴＢＳを判定することを含む、実施形態１の方法であり、そこで：条件（ａ）は、ｋが８の倍数であることであり、条件（ｂ）は、
2020537384.tif 000048
である。
【０１５２】
実施形態８：ＴＢＳ判定手続きを実行することが、ＴＢＳの少なくとも１つの第１の範囲について、最小絶対差｜ｋ−ＴＢＳ０｜からＴＢＳ０を有する条件（ａ）、（ｂ）および（ｃ）を満たす整数ｋとして送信のためのＴＢＳを判定することを含む、実施形態１の方法であり、そこで：条件（ａ）は、ｋが８の倍数であることであり、条件（ｂ）は、
2020537384.tif 000049
であり、条件（ｃ）は、
2020537384.tif 000050
である。
【０１５３】
実施形態９：無線デバイスが、ＢＧ１およびＢＧ２のうちの１つのみを実装する、実施形態１から８のいずれか１つの方法。
【０１５４】
実施形態１０：送信が、５Ｇ  ＮＲデータチャネル送信である、実施形態１から９のうちのいずれか１つの方法。
【０１５５】
実施形態１１：さらに以下を含む、前の実施形態のうちのいずれかの方法：ユーザデータを提供することと、基地局への送信を介してユーザデータをホストコンピュータに転送すること。
【０１５６】
実施形態１２：基地局によって実行される方法であり、本方法は以下を含む：ＴＢＳ判定手続きを実行して基地局から無線デバイスへのデータチャネル送信のためのＴＢＳを判定することと、そのＴＢＳを使用するデータチャネル送信を実行すること。
【０１５７】
実施形態１３：ＴＢＳ判定手続きを実行することが、ＴＢＳの少なくとも１つの第１の範囲について、サイズの異なるコードブロックを生じさせることができる公式を使用する送信のためのＴＢＳを判定することを含む、実施形態１２の方法。
【０１５８】
実施形態１４：ＴＢＳ判定手続きを実行することが、ＴＢＳの少なくとも第１の１つの範囲について、サイズの異なるコードブックを生じさせる任意のＴＢＳに対処するためにフィラービットを使用することをさらに含む、実施形態１３の方法。
【０１５９】
実施形態１５：実施形態１２から１４のいずれか１つの方法であり、そこで、ＴＢＳ判定手続きを実行することが、ＴＢＳの少なくとも１つの第２の範囲について、使用されるＴＢＳのうちのいくつかのすべてが、コードブロックセグメント化のためにどのベースグラフが使用されるかにかかわらず、同サイズのコードブロックを確保するように設計された公式を使用して送信のためのＴＢＳを判定することを含む。
【０１６０】
実施形態１６：ＴＢＳ判定手続きを実行することが、ＴＢＳの少なくとも１つの第１の範囲について、以下の条件を満たすＴＢＳ０以上の最小整数として送信のためのＴＢＳを判定することを含む、実施形態１２の方法：ｋは８の倍数であり、そして、
2020537384.tif 000051
【０１６１】
実施形態１７：ＴＢＳ判定手続きを実行することが、ＴＢＳの少なくとも１つの第１の範囲について、以下の条件を満たすＴＢＳ０以上の最小整数として送信のためのＴＢＳを判定することを含む、実施形態１２の方法：ｋは８の倍数であり、
2020537384.tif 000052
および
2020537384.tif 000053
【０１６２】
実施形態１８：ＴＢＳ判定手続きを実行することが、ＴＢＳの少なくとも１つの第１の範囲について、最小絶対差｜ｋ−ＴＢＳ０｜からＴＢＳ０を有する条件（ａ）および（ｂ）を満たす整数ｋとして送信のためのＴＢＳを判定することを含む、実施形態１２の方法であり、そこで：条件（ａ）は、ｋが８の倍数であることであり、条件（ｂ）は、
2020537384.tif 000054
である。
【０１６３】
実施形態１９：ＴＢＳ判定手続きを実行することが、ＴＢＳの少なくとも１つの第１の範囲について、最小絶対差｜ｋ−ＴＢＳ０｜からＴＢＳ０を有する条件（ａ）、（ｂ）および（ｃ）を満たす整数ｋとして送信のためのＴＢＳを判定することを含む、実施形態１２の方法であり、そこで：条件（ａ）は、ｋが８の倍数であることであり、条件（ｂ）は
2020537384.tif 000055
であり、条件（ｃ）は
2020537384.tif 000056
である。
【０１６４】
実施形態２０：無線デバイスが、ＢＧ１およびＢＧ２のうちの１つのみを実装する、実施形態１２から１９のいずれか１つの方法。
【０１６５】
実施形態２１：送信が、５Ｇ  ＮＲデータチャネル送信である、実施形態１２から２０のいずれか１つの方法。
【０１６６】
実施形態２２：さらに以下を含む、前の実施形態のうちのいずれかの方法：ユーザデータを提供することと、基地局への送信を介してユーザデータをホストコンピュータに転送すること。
【０１６７】
実施形態２３：さらに以下を含む、前の実施形態のうちのいずれかの方法：ユーザデータを取得することと、ユーザデータをホストコンピュータまたは無線デバイスに転送すること。
【０１６８】
実施形態２４：無線デバイスであり、本無線デバイスは以下を備える：実施形態１から１１のうちのいずれかの実施形態のステップのいずれかを実行するように設定された処理回路と、無線デバイスに電力を供給するように設定された電源回路。
【０１６９】
実施形態２５：基地局であり、本基地局は以下を備える：実施形態１２から２３のうちのいずれかの実施形態のステップのいずれかを実行するように設定された処理回路と、無線デバイスに電力を供給するように設定された電源回路。
【０１７０】
実施形態２６：ＵＥであり、本ＵＥは以下を備える：無線信号を送信および受信するように設定されたアンテナと、アンテナおよび処理回路に接続されており、アンテナと処理回路との間で通信される信号を調整するように設定された無線フロントエンド回路と、実施形態１から１１のうちのいずれかの実施形態のステップのいずれかを実行するように設定されている処理回路と、処理回路に接続されており、ＵＥへの情報の入力が処理回路によって処理されることを可能にするように設定された入力インターフェースと、処理回路に接続されており、処理回路によって処理されたＵＥからの情報を出力するように設定された出力インターフェースと、処理回路に接続されており、ＵＥに電力を供給するように設定されたバッテリ。
【０１７１】
実施形態２７：以下を備えるホストコンピュータを含む通信システム：ユーザデータを提供するように設定された処理回路と、ＵＥへの送信のためにセルラネットワークにユーザデータを転送するように設定された通信インターフェース、そこで、セルラネットワークは、無線インターフェースおよび処理回路を有する基地局を備え、基地局の処理回路は、実施形態１２から２３のうちのいずれかの実施形態のステップのいずれかを実行するように設定される。
【０１７２】
実施形態２８：基地局をさらに含む、前の実施形態の通信システム。
【０１７３】
実施形態２９：さらにＵＥを含む、前の２実施形態の通信システムであり、そこで、ＵＥは、基地局と通信するように設定される。
【０１７４】
実施形態３０：前の３実施形態の通信システム、そこで：ホストコンピュータの処理回路は、ホストアプリケーションを実行するように設定され、それにより、ユーザデータを提供し、そして、ＵＥは、ホストアプリケーションと関連するクライアントアプリケーションを実行するように設定された処理回路を備える。
【０１７５】
実施形態３１：ホストコンピュータ、基地局およびＵＥを含む通信システムにおいて実装される方法、本方法は以下を含む：ホストコンピュータにおいて、ユーザデータを提供することと、ホストコンピュータにおいて、基地局を備えたセルラネットワークを介してＵＥにユーザデータを運ぶ送信を開始すること、そこで、基地局は、実施形態１２から２３のうちのいずれかの実施形態のステップのいずれかを実行する。
【０１７６】
実施形態３２：基地局において、ユーザデータを送信することをさらに含む、前の実施形態の方法。
【０１７７】
実施形態３３：ユーザデータが、ホストアプリケーションを実行することによってホストコンピュータにおいて提供される、前の２実施形態の方法であって、ホストアプリケーションと関連するクライアントアプリケーションをＵＥにおいて実行することをさらに含む、方法。
【０１７８】
実施形態３４：基地局と通信するように設定されたＵＥであって、前の３実施形態の方法を実行するように設定された無線インターフェースおよび処理回路を備えたＵＥ。
【０１７９】
実施形態３５：以下を備えるホストコンピュータを含む通信システム：ユーザデータを提供するように設定された処理回路と、ＵＥに送信するためにセルラネットワークにユーザデータを転送するように設定された通信インターフェース、そこで、ＵＥは、無線インターフェースおよび処理回路を備え、ＵＥの構成要素は、実施形態１から１１のうちのいずれかの実施形態のステップのいずれかを実行するように設定される。
【０１８０】
実施形態３６：セルラネットワークが、ＵＥと通信するように設定された基地局をさらに含む、前の実施形態の通信システム。
【０１８１】
実施形態３７：前の２実施形態の通信システム、そこで：ホストコンピュータの処理回路は、ホストアプリケーションを実行するように設定され、それにより、ユーザデータを提供し、そして、ＵＥの処理回路は、ホストアプリケーションと関連するクライアントアプリケーションを実行するように設定される。
【０１８２】
実施形態３８：ホストコンピュータ、基地局およびＵＥを含む通信システムにおいて実装される方法であり、本方法は以下を含む：ホストコンピュータにおいて、ユーザデータを提供することと、ホストコンピュータにおいて、基地局を備えたセルラネットワークを介してＵＥにユーザデータを運ぶ送信を開始すること、そこで、ＵＥは、実施形態１から１１のうちのいずれかの実施形態のステップのいずれかを実行する。
【０１８３】
実施形態３９：ＵＥにおいて、基地局からユーザデータを受信することをさらに含む、前の実施形態の方法。
【０１８４】
実施形態４０：以下を備えるホストコンピュータを含む通信システム：ＵＥから基地局への送信に由来するユーザデータを受信するように設定された通信インターフェース、そこで、ＵＥは、無線インターフェースおよび処理回路を備え、ＵＥの処理回路は、ＵＥの実施形態１から１１のうちのいずれかの実施形態のステップのいずれかを実行するように設定される。
【０１８５】
実施形態４１：ＵＥをさらに含む、前の実施形態の通信システム。
【０１８６】
実施形態４２：基地局をさらに含む、前の２実施形態の通信システム、そこで、基地局は、ＵＥと通信するように設定された無線インターフェースと、ＵＥから基地局への送信によって運ばれたユーザデータをホストコンピュータに転送するように設定された通信インターフェースとを備える。
【０１８７】
実施形態４３：前の３実施形態の通信システム、そこで：ホストコンピュータの処理回路は、ホストアプリケーションを実行するように設定され、そして、ＵＥの処理回路は、ホストアプリケーションと関連するクライアントアプリケーションを実行するように設定され、それによってユーザデータを提供する。
【０１８８】
実施形態４４：前の４実施形態の通信システム、そこで：ホストコンピュータの処理回路は、ホストアプリケーションを実行するように設定され、それによって要求データを提供し、そして、ＵＥの処理回路は、ホストアプリケーションと関連するクライアントアプリケーションを実行するように設定され、それによって、要求データに応答してユーザデータを提供する。
【０１８９】
実施形態４５：ホストコンピュータ、基地局およびＵＥを含む通信システムにおいて実装される方法、本方法は以下を含む：ホストコンピュータにおいて、ＵＥから基地局に送信されたユーザデータを受信すること、そこで、ＵＥは、実施形態１から１１のうちのいずれかの実施形態のステップのいずれかを実行する。
【０１９０】
実施形態４６：ＵＥにおいて、ユーザデータを基地局に提供することをさらに含む、前の実施形態の方法。
【０１９１】
実施形態４７：以下をさらに含む、前の２実施形態の方法：ＵＥにおいて、クライアントアプリケーションを実行して、それによって、送信されることになるユーザデータを提供することと、ホストコンピュータにおいて、クライアントアプリケーションと関連するホストアプリケーションを実行すること。
【０１９２】
実施形態４８：以下をさらに含む、前の３実施形態の方法：ＵＥにおいて、クライアントアプリケーションを実行することと、ＵＥにおいて、クライアントアプリケーションへの入力データを受信すること、入力データは、クライアントアプリケーションと関連するホストアプリケーションを実行することによってホストコンピュータにおいて提供され、そこで、送信されることになるユーザデータは、入力データに応答してクライアントアプリケーションによって提供される。
【０１９３】
実施形態４９：ＵＥから基地局への送信に由来するユーザデータを受信するように設定された通信インターフェースを備えたホストコンピュータを含む通信システム、そこで、基地局は、無線インターフェースおよび処理回路を備え、基地局の処理回路は、実施形態１２から２３のうちのいずれかの実施形態のステップのいずれかを実行するように設定される。
【０１９４】
実施形態５０：基地局をさらに含む、前の実施形態の通信システム。
【０１９５】
実施形態５１：さらにＵＥを含む、前の２実施形態の通信システム、そこで、ＵＥは、基地局と通信するように設定される。
【０１９６】
実施形態５２：前の３実施形態の通信システム、そこで：ホストコンピュータの処理回路は、ホストアプリケーションを実行するように設定され、ＵＥは、ホストアプリケーションと関連するクライアントアプリケーションを実行するように設定され、それによって、ホストコンピュータによって受信されることになるユーザデータを提供する。
【０１９７】
実施形態５３：ホストコンピュータ、基地局およびＵＥを含む通信システムにおいて実装される方法であり、本方法は以下を含む：ホストコンピュータにおいて、基地局がＵＥから受信した送信に由来するユーザデータを基地局から受信すること、そこで、ＵＥは、実施形態１から１１のうちのいずれかの実施形態のステップのいずれかを実行する。
【０１９８】
実施形態５４：基地局において、ＵＥからユーザデータを受信することをさらに含む、前の実施形態の方法。
【０１９９】
実施形態５５：基地局において、受信されたユーザデータのホストコンピュータへの送信を開始することをさらに含む、前の２実施形態の方法。
【０２００】
以下の略語のうちの少なくともいくつかが、本開示において使用され得る。略語の間に不一致がある場合には、それが前述でどのように使用されているかを優先すべきである。以下に複数回記載されている場合、第１の記載はいずれの後続の記載よりも優先されるべきである。
・２Ｇ    第２世代
・３Ｇ    第３世代
・３ＧＰＰ    第３世代パートナーシッププロジェクト
・４Ｇ    第４世代
・５Ｇ    第５世代
・ＡＣ    交流電流
・ＡＰ    アクセスポイント
・ＡＳＩＣ    特定用途向け集積回路
・ＡＴＭ    非同期転送モード
・ＢＳ    基地局
・ＢＳＣ    基地局コントローラ
・ＢＴＳ    基地局トランシーバ
・ＣＤ    コンパクトディスク
・ＣＤＭＡ    コード分割多重アクセス
・ＣＯＴＳ    商用オフザシェルフ
・ＣＰＥ    加入者宅内機器
・ＣＰＵ    中央処理装置
・ＣＲＣ    巡回冗長検査
・Ｄ２Ｄ    デバイス対デバイス
・ＤＡＳ    分散型アンテナシステム
・ＤＣ    直流
・ＤＣＩ    ダウンリンク制御情報
・ＤＩＭＭ    デュアルインラインメモリモジュール
・ＤＬ    ダウンリンク
・ＤＳＰ    デジタル信号プロセッサ
・ＤＶＤ    デジタルビデオディスク
・ＤｗＰＴＳ  ダウンリンクパイロットタイムスロット
・ＥＥＰＲＯＭ  電気的消去可能ＰＲＯＭ
・ｅＭＴＣ    エンハンストマシンタイプ通信
・ｅＮＢ    エンハンストまたはエボルブドノードＢ
・ＥＰＲＯＭ  消去可能ＰＲＯＭ
・Ｅ−ＳＭＬＣ  エボルブドサービングモバイルロケーションセンタ
・ＦＤＤ    周波数分割複信
・ＦＰＧＡ    フィールドプログラマブルゲートアレイ
・ＧＨｚ    ギガヘルツ
・ｇＮＢ    新無線基地局
・ＧＰＳ    グローバルポジショニングシステム
・ＧＳＭ    グローバルシステムフォーモバイルコミュニケーション
・ＨＡＲＱ    ハイブリッド自動再送要求
・ＨＤＤＳ    ホログラフィックデジタルデータストレージ
・ＨＤ−ＤＶＤ  高密度デジタル多用途ディスク
・ＩＤ    アイデンティティ
・Ｉ／Ｏ    入力および出力
・ＩｏＴ    モノのインターネット
・ＩＰ    インターネットプロトコル
・ｋＨｚ    キロヘルツ
・ＬＡＮ    ローカルエリアネットワーク
・ＬＢＴ    リッスンビフォアトーク
・ＬＤＰＣ    低密度パリティ検査
・ＬＥＥ    ラップトップ埋込機器
・ＬＭＥ    ラップトップ搭載機器
・ＬＰＤＣ    低パリティ密度検査
・ＬＴＥ    ロングタームエボリューション
・Ｍ２Ｍ    マシン対マシン
・ＭＡＮＯ  管理および編成
・ＭＣＥ    マルチセル／マルチキャストコーディネーションエンティティ
・ＭＣＳ    変調符号化方式
・ＭＤＴ    ドライブテストの最小化
・ＭＩＭＯ    多重入出力
・ＭＭＥ    モビリティ管理エンティティ
・ＭＳＣ    移動交換局
・ＭＳＲ    マルチスタンダード無線
・ＭＴＣ    マシンタイプ通信
・ＮＢ−ＩｏＴ  モノの狭帯域インターネット
・ＮＦＶ    ネットワーク機能仮想化
・ＮＩＣ    ネットワークインターフェースコントローラ
・ＮＲ    新無線
・Ｏ＆Ｍ    運用保守
・ＯＦＤＭ    直交周波数分割多重
・ＯＳＳ    運用サポートシステム
・ＯＴＴ    オーバーザトップ
・ＰＤＡ    携帯情報端末
・ＰＤＣＣＨ  物理ダウンリンク制御チャネル
・ＰＤＳＣＨ  物理ダウンリンク共有チャネル
・ＰＲＢ    物理リソースブロック
・ＰＲＯＭ  プログラマブル読取り専用メモリ
・ＰＳＴＮ    公衆交換電話網
・ＰＵＣＣＨ  物理アップリンク制御チャネル
・ＱＡＭ    直交振幅変調
・ＱＰＳＫ    ４位相偏移変調
・ＲＡＩＤ    独立ディスクの冗長アレイ
・ＲＡＭ    ランダムアクセスメモリ
・ＲＡＮ    無線アクセスネットワーク
・ＲＡＴ    無線アクセス技術
・ＲＥ    リソースエレメント
・ＲＦ    無線周波数
・ＲＮＣ    無線ネットワークコントローラ
・ＲＯＭ    読取り専用メモリ
・ＲＲＨ    リモート無線ヘッド
・ＲＲＵ    リモート無線ユニット
・ＲＵＩＭ    取り外し可能ユーザアイデンティティ
・ＳＤＲＡＭ  同期ダイナミックランダムアクセスメモリ
・ＳＩＭ    加入者識別モジュール
・ＳＯＣ    システムオンチップ
・ＳＯＮ    自己組織化ネットワーク
・ＳＯＮＥＴ  同期型光ネットワーキング
・ＴＢＳ    トランスポートブロックサイズ
・ＴＣＰ    送信制御プロトコル
・ＴＤＤ    時分割複信
・ＴＰＣ    送信電力制御
・ＴＲＰ    送信受信ポイント
・ＴＳ    技術仕様
・ＵＥ    ユーザ機器
・ＵＬ    アップリンク
・ＵＭＴＳ    ユニバーサルモバイル電気通信システム
・ＵＳＢ    ユニバーサルシリアルバス
・ＵＴＲＡＮ  ユニバーサル地上無線アクセスネットワーク
・Ｖ２Ｉ    車対インフラストラクチャ
・Ｖ２Ｖ    車対車
・Ｖ２Ｘ    車対あらゆるもの
・ＶＭＭ    仮想マシンモニタ
・ＶＮＥ    仮想ネットワークエレメント
・ＶＮＦ    仮想ネットワーク機能
・ＶｏＩＰ    ボイスオーバーインターネットプロトコル
・ＶＲＢ    仮想リソースブロック
・ＷＡＮ    ワイドエリアネットワーク
・ＷＣＤＭＡ  広帯域コード分割多重アクセス
・ＷＤ    無線デバイス
・ＷｉＭａｘ  ワールドワイドインターオペラビリティフォーマイクロウェーブアクセス
・ＷＬＡＮ    無線ローカルエリアネットワーク
【０２０１】
当業者は、本開示の実施形態に対する改良および修正を認識するであろう。すべてのそのような改良および修正は、本明細書で開示される概念の範囲内にあると見なされる。
【図１】
2020537384.tif 000060
【図２】
2020537384.tif 000061
【図３】
2020537384.tif 000062
【図４】
2020537384.tif 000063
【図５】
2020537384.tif 000064
【図６】
2020537384.tif 000065
【図７】
2020537384.tif 000066
【図８】
2020537384.tif 000067
【図９】
2020537384.tif 000068
【図１０】
2020537384.tif 000069
【図１１】
2020537384.tif 000070
【図１２】
2020537384.tif 000071
【図１３】
2020537384.tif 000072
【図１４】
2020537384.tif 000073
【図１５】
2020537384.tif 000074
【図１６】
2020537384.tif 000075
【国際調査報告】
2020537384.tif 000076
2020537384.tif 000077
2020537384.tif 000078
2020537384.tif 000079